(57)【特許請求の範囲】
【請求項１】
紙葉類を識別する所定桁の識別情報を前記紙葉類から文字認識し、認識可の文字及び／又は認識不可の文字を含む文字認識結果を取得し、取得した文字認識結果に基づき、前記紙葉類に対して複数の同一内容の識別情報がある場合には、各識別情報の文字認識結果同士を桁単位で照合することで各桁の文字を認識可の確定文字又は認識不可の不確定文字として確定し、前記確定文字及び／又は前記不確定文字を含む識別情報認識結果を取得する識別情報認識部と、
前記識別情報認識結果の所定桁の内、任意の特定桁を指定する特定桁指定部と、
前記識別情報認識部にて取得した前記識別情報認識結果内の前記確定文字又は前記不確定文字に基づき、前記特定桁指定部にて指定した前記識別情報認識結果内の特定桁の文字が前記確定文字の場合、この識別情報認識結果が所定登録条件を満たしたものと判断すると共に、前記特定桁指定部にて指定した前記識別情報認識結果内の特定桁の文字が前記不確定文字の場合、この識別情報認識結果が前記所定登録条件を満たさなかったものと判断する登録条件判定部と、
この登録条件判定部にて前記識別情報認識結果が前記所定登録条件を満たした場合、この識別情報認識結果が前記不確定文字を含んでいてもデータベースに登録すると共に、前記登録条件判定部にて前記識別情報認識結果が前記所定登録条件を満たさなかった場合、この識別情報認識結果の前記データベースへの登録を禁止する登録制御部と、
を有することを特徴とする紙葉類管理装置。
【請求項２】
紙葉類を識別する所定桁の識別情報を前記紙葉類から文字認識し、認識可の文字及び／又は認識不可の文字を含む文字認識結果を取得し、取得した文字認識結果に基づき、認識可の確定文字及び／又は認識不可の不確定文字を含む識別情報認識結果を取得する識別情報認識部と、
前記識別情報認識結果の所定桁の内、前記不確定文字を許容できる不確定許容文字数を指定する不確定許容文字数指定部と、
前記識別情報認識部にて取得した前記識別情報認識結果内の前記確定文字又は前記不確定文字に基づき、前記識別情報認識結果内の前記不確定文字の合計数が前記不確定許容文字数指定部にて指定した前記不確定許容文字数以内の場合、この識別情報認識結果が所定登録条件を満たしたものと判断すると共に、前記識別情報認識結果内の前記不確定文字の合計数が前記不確定許容文字数指定部にて指定した前記不確定許容文字数を超えた場合、この識別情報認識結果が前記所定登録条件を満たさなかったものと判断する登録条件判定部と、
この登録条件判定部にて前記識別情報認識結果が前記所定登録条件を満たした場合、この識別情報認識結果が前記不確定文字を含んでいてもデータベースに登録すると共に、前記登録条件判定部にて前記識別情報認識結果が前記所定登録条件を満たさなかった場合、この識別情報認識結果の前記データベースへの登録を禁止する登録制御部と、
を有することを特徴とする紙葉類管理装置。
【請求項３】
紙葉類を識別する所定桁の識別情報を前記紙葉類から文字認識し、認識可の文字及び／又は認識不可の文字を含む文字認識結果を取得し、取得した文字認識結果に基づき、認識可の確定文字及び／又は認識不可の不確定文字を含む識別情報認識結果を取得する識別情報認識部と、
前記識別情報認識結果の所定桁の内、任意の特定桁を指定する特定桁指定部と、
前記識別情報認識結果の所定桁の内、前記不確定文字を許容できる不確定許容文字数を指定する不確定許容文字数指定部と、
前記識別情報認識部にて取得した前記識別情報認識結果内の前記確定文字又は前記不確定文字に基づき、前記特定桁指定部にて指定した前記識別情報認識結果内の特定桁の文字が前記確定文字の場合、かつ、前記識別情報認識結果内の前記不確定文字の合計数が前記不確定許容文字数指定部にて指定した前記不確定許容文字数以内の場合、前記識別情報認識結果が所定登録条件を満たしたものと判断すると共に、前記特定桁指定部にて指定した前記識別情報認識結果内の特定桁の文字が前記不確定文字の場合、又は、前記識別情報認識結果内の前記不確定文字の合計数が前記不確定許容文字数指定部にて指定した前記不確定許容文字数を超えた場合、前記識別情報認識結果が前記所定登録条件を満たさなかったものと判断する登録条件判定部と、
この登録条件判定部にて前記識別情報認識結果が前記所定登録条件を満たした場合、この識別情報認識結果が前記不確定文字を含んでいてもデータベースに登録すると共に、前記登録条件判定部にて前記識別情報認識結果が前記所定登録条件を満たさなかった場合、この識別情報認識結果の前記データベースへの登録を禁止する登録制御部と、
を有することを特徴とする紙葉類管理装置。
【請求項４】
前記登録条件判定部にて前記識別情報認識結果が前記所定登録条件を満たさなかった場合、この識別情報識別結果に関わる入力操作を要求する入力操作要求部を有し、
前記登録制御部は、
前記入力操作要求部に対する前記識別情報認識結果に関わる入力操作を検出すると、この入力した識別情報を前記データベースに登録することを特徴とする請求項１〜３の何れか一に記載の紙葉類管理装置。
【請求項５】
検索対象の識別情報を入力する検索対象入力部と、
前記データベースに登録中の前記確定文字及び／又は前記不確定文字を含む識別情報認識結果から前記検索対象入力部にて入力した前記検索対象の識別情報に近似する識別情報認識結果を検索する検索制御部と、
を有することを特徴とする請求項１〜３の何れか一に記載の紙葉類管理装置。
【請求項６】
前記識別情報認識部は、
前記紙葉類から複数の同一内容の識別情報を文字認識し、各識別情報に関わる、認識可の文字及び／又は認識不可の文字を含む文字認識結果を取得する文字認識部と、
この文字認識部にて取得した各識別情報の文字認識結果同士を桁単位で照合する照合部と、
この照合部にて照合した文字認識結果同士の同一桁の文字が全て認識可の同一文字の場合、その文字を同桁の前記確定文字として確定すると共に、前記文字認識結果同士の同一桁の文字が少なくとも一つの認識可の文字を含む異なる文字の場合、これら異なる文字の内、任意の文字を同桁の前記確定文字として確定すると共に、前記文字認識結果同士の同一桁の文字が全て認識不可の文字の場合、同桁の文字を前記不確定文字として確定する文字確定部と、
前記文字確定部にて前記文字認識結果内の全桁の文字を確定すると、前記確定文字及び／又は前記不確定文字を含む前記識別情報認識結果を取得する識別情報認識結果取得部と、
を有することを特徴とする請求項１〜３の何れか一に記載の紙葉類管理装置。
【請求項７】
前記文字確定部は、
前記文字認識結果同士の同一桁の文字が少なくとも一つの認識可の文字を含む異なる文字の場合、これら異なる文字の内、任意の文字を同桁の前記確定文字として確定する際、前記複数の文字認識結果の内、前記認識不可の文字の合計数が最小の文字認識結果に関わる同桁の文字を同桁の前記確定文字として確定することを特徴とする請求項６記載の紙葉類管理装置。
【請求項８】
前記紙葉類上の同一内容の複数の識別情報の内、各識別情報に付与した優先順位を記憶した優先順位記憶部を有し、
前記文字確定部は、
前記文字認識結果同士の同一桁の文字が少なくとも一つの認識可の文字を含む異なる文字の場合、これら異なる文字の内、任意の文字を同桁の前記確定文字として確定する際、前記複数の文字認識結果の内、前記優先順位記憶部に記憶中の優先順位の高い方の文字認識結果に関わる同桁の文字を同桁の前記確定文字として確定することを特徴とする請求項６記載の紙葉類管理装置。
【請求項９】
前記照合部にて照合した複数の文字認識結果同士の同一桁間で前記認識可の文字が合致する合致比率を算出する合致比率算出部と、
許容合致比率を指定する許容合致比率指定部と、
を有し、
前記登録条件判定部は、
前記合致比率算出部にて算出した前記合致比率が前記許容合致比率指定部にて指定した前記許容合致比率を超えなかった場合、前記識別情報認識結果が前記所定登録条件を満たさなかったものと判断することを特徴とする請求項６記載の紙葉類管理装置。
【請求項１０】
検索対象の識別情報を入力する検索対象入力部と、
前記データベースに登録中の前記確定文字及び／又は前記不確定文字を含む識別情報認識結果から前記検索対象入力部にて入力した前記検索対象の識別情報に近似する識別情報認識結果を検索する検索制御部と、
を有することを特徴とする請求項６記載の紙葉類管理装置。
【請求項１１】
前記識別情報認識部は、
前記紙葉類から複数の同一内容の識別情報を文字認識し、各識別情報に関わる、認識可の文字及び／又は認識不可の文字を含む文字認識結果を取得する文字認識部と、
この文字認識部にて取得した各識別情報の文字認識結果同士を桁単位で照合する照合部と、
この照合部にて照合した前記複数の文字認識結果の内、前記認識不可の文字の合計数が最小の文字認識結果内の全桁の文字で前記確定文字及び／又は前記不確定文字を確定する文字確定部と、
前記文字確定部にて前記文字認識結果内の全桁の文字を確定すると、前記確定文字及び／又は前記不確定文字を含む前記識別情報認識結果を取得する識別情報認識結果取得部と、
を有することを特徴とする請求項１〜３の何れか一に記載の紙葉類管理装置。
【請求項１２】
紙葉類を識別する所定桁の識別情報を前記紙葉類から文字認識し、認識可の文字及び／又は認識不可の文字を含む文字認識結果を取得し、取得した文字認識結果に基づき、前記紙葉類に対して複数の同一内容の識別情報がある場合には、各識別情報の文字認識結果同士を桁単位で照合することで各桁の文字を認識可の確定文字又は認識不可の不確定文字として確定し、前記確定文字及び／又は前記不確定文字を含む識別情報認識結果を取得する識別情報認識ステップと、
前記識別情報認識結果の所定桁の内、任意の特定桁を指定する特定桁指定ステップと、
前記識別情報認識ステップにて取得した前記識別情報認識結果内の前記確定文字又は前記不確定文字に基づき、前記特定桁指定ステップにて指定した前記識別情報認識結果内の特定桁の文字が前記確定文字の場合、この識別情報認識結果が所定登録条件を満たしたものと判断すると共に、前記特定桁指定部にて指定した前記識別情報認識結果内の特定桁の文字が前記不確定文字の場合、この識別情報認識結果が前記所定登録条件を満たさなかったものと判断する登録条件判定ステップと、
この登録条件判定ステップにて前記識別情報認識結果が前記所定登録条件を満たした場合、この識別情報認識結果が前記不確定文字を含んでいてもデータベースに登録すると共に、前記登録条件判定ステップにて前記識別情報認識結果が前記所定登録条件を満たさなかった場合、この識別情報認識結果の前記データベースへの登録を禁止する登録制御ステップと、
を含むことを特徴とする紙葉類管理方法。
【請求項１３】
紙葉類を識別する所定桁の識別情報を前記紙葉類から文字認識し、認識可の文字及び／又は認識不可の文字を含む文字認識結果を取得し、取得した文字認識結果に基づき、前記紙葉類に対して複数の同一内容の識別情報がある場合には、各識別情報の文字認識結果同士を桁単位で照合することで各桁の文字を認識可の確定文字又は認識不可の不確定文字として確定し、前記確定文字及び／又は前記不確定文字を含む識別情報認識結果を取得する識別情報認識手順と、
前記識別情報認識結果の所定桁の内、任意の特定桁を指定する特定桁指定手順と、
前記識別情報認識手順にて取得した前記識別情報認識結果内の前記確定文字又は前記不確定文字に基づき、前記特定桁指定手順にて指定した前記識別情報認識結果内の特定桁の文字が前記確定文字の場合、この識別情報認識結果が所定登録条件を満たしたものと判断すると共に、前記特定桁指定部にて指定した前記識別情報認識結果内の特定桁の文字が前記不確定文字の場合、この識別情報認識結果が前記所定登録条件を満たさなかったものと判断する登録条件判定手順と、
この登録条件判定手順にて前記識別情報認識結果が前記所定登録条件を満たした場合、この識別情報認識結果が前記不確定文字を含んでいてもデータベースに登録すると共に、前記登録条件判定手順にて前記識別情報認識結果が前記所定登録条件を満たさなかった場合、この識別情報認識結果の前記データベースへの登録を禁止する登録制御手順と、
を含む処理プログラムをコンピュータ装置に実行させることを特徴とする紙葉類管理プログラム。
【発明の詳細な説明】
【技術分野】
【０００１】
本発明は、例えば、紙幣等の紙葉類を識別する、所定桁構成の記番号等の識別情報を紙葉類上から文字認識し、その文字認識した識別情報をデータベースに登録する紙葉類管理装置、紙葉類管理方法及び紙葉類管理プログラムに関する。
【背景技術】
【０００２】
一般的に、例えば、紙幣、小切手、手形や商品券等の紙葉類上には、その紙葉類を識別するための該紙葉類を一意に特定する識別情報が記載されている。【０００３】
近年、例えば、金融機関では、紙幣上から記番号を文字認識し、文字認識した記番号をデータベースに登録しておき、自分が取引した紙幣を管理する紙幣管理装置等の紙葉類管理装置が知られている(例えば、特許文献１参照)。【０００４】
また、諸外国では、金融機関の自動現金支払機（以下、単にＡＴＭと称する）から偽造紙幣が出金されたというようなクレームも多発していることから、金融機関では、その偽造紙幣が実際に自分で取引した出金紙幣であるか否かを記番号で管理する必要性がある。  【０００５】
従って、金融機関では、偽造紙幣が出金されたというようなクレームが生じたとしても、その紙幣の記番号を検索対象として入力し、その検索対象の記番号をデータベースから検索し、検索対象の記番号が同金融機関で過去に取り扱った紙幣であるか否かを識別可能にすることで、このようなクレームに対処することができる。【０００６】
しかしながら、上記従来の紙葉類管理装置では、紙幣上から所定桁の記番号を文字認識する際、例えば、紙幣表面の汚れ等の紙幣の状態によっては、紙幣表面上の記番号が文字認識できないような場合も多々ある。【０００７】
また、紙葉類管理装置では、各紙幣の記番号を文字認識し、文字認識した記番号は勿論のこと、記番号として識別できない程、文字認識不可の文字を含む記番号をも単純にデータベースに登録した場合、そのデータベースの記憶容量が無駄になる。【０００８】
そこで、紙葉類管理装置では、認識不可の文字を含む記番号については、ユーザ操作で記番号を入力し、その入力記番号をデータベースに登録するようにしたので、記番号のデータベースへの無駄な登録を回避することができる。【０００９】
【特許文献１】特開２００４−２１３５５９号公報
【発明の開示】
【発明が解決しようとする課題】
【００１０】
しかしながら、上記従来の紙葉類管理装置では、認識不可の文字を含む記番号の場合、ユーザ操作で記番号を入力するようにしたが、認識不可の文字を含む記番号に関わる紙幣が大量に発生した場合、その記番号入力に要するユーザ側の操作負担はきわめて大きい。【００１１】
本発明は上記点に鑑みて成されたものであり、その目的とするところは、記番号(識別情報)の無駄な登録を回避しながら、記番号(識別情報)入力に要するユーザ側の操作負担を大幅に軽減することができる紙葉類管理装置、紙葉類管理方法及び紙葉類管理プログラムを提供することにある。
【課題を解決するための手段】
【００１２】
上記目的を達成するために本願請求項１記載の紙葉類管理装置は、紙葉類を識別する所定桁の識別情報を前記紙葉類から文字認識し、認識可の文字及び／又は認識不可の文字を含む文字認識結果を取得し、取得した文字認識結果に基づき、認識可の確定文字及び／又は認識不可の不確定文字を含む識別情報認識結果を取得する識別情報認識部と、この識別情報認識部にて取得した前記識別情報認識結果内の前記確定文字又は前記不確定文字に基づき、前記識別情報認識結果が所定登録条件を満たしたか否かを判定する登録条件判定部と、この登録条件判定部にて前記識別情報認識結果が前記所定登録条件を満たした場合、この識別情報認識結果を記憶部に登録すると共に、前記登録条件判定部にて前記識別情報認識結果が前記所定登録条件を満たさなかった場合、この識別情報認識結果の前記記憶部への登録を禁止する登録制御部と、を有するようにした。【００１３】
また、本願請求項２記載の紙葉類管理装置は、本願請求項１記載の構成において、前記識別情報認識結果の所定桁の内、任意の特定桁を指定する特定桁指定部を有し、前記登録条件判定部は、前記特定桁指定部にて指定した前記識別情報認識結果内の特定桁の文字が前記確定文字の場合、この識別情報認識結果が前記所定登録条件を満たしたものと判断すると共に、前記特定桁指定部にて指定した前記識別情報認識結果内の特定桁の文字が前記不確定文字の場合、この識別情報認識結果が前記所定登録条件を満たさなかったものと判断するようにした。【００１４】
また、本願請求項３記載の紙葉類管理装置は、本願請求項１記載の構成において、前記識別情報認識結果の所定桁の内、前記不確定文字を許容できる不確定許容文字数を指定する不確定許容文字数指定部を有し、前記登録条件判定部は、前記識別情報認識結果内の前記不確定文字の合計数が前記不確定許容文字数指定部にて指定した前記不確定許容文字数以内の場合、この識別情報認識結果が前記所定登録条件を満たしたものと判断すると共に、前記識別情報認識結果内の前記不確定文字の合計数が前記不確定許容文字数指定部にて指定した前記不確定許容文字数を超えた場合、この識別情報認識結果が前記所定登録条件を満たさなかったものと判断するようにした。【００１５】
また、本願請求項４記載の紙葉類管理装置は、本願請求項１記載の構成において、前記識別情報認識結果の所定桁の内、任意の特定桁を指定する特定桁指定部と、前記識別情報認識結果の所定桁の内、前記不確定文字を許容できる不確定許容文字数を指定する不確定許容文字数指定部と、を有し、前記登録条件判定部は、前記特定桁指定部にて指定した前記識別情報認識結果内の特定桁の文字が前記確定文字の場合、かつ、前記識別情報認識結果内の前記不確定文字の合計数が前記不確定許容文字数指定部にて指定した前記不確定許容文字数以内の場合、前記識別情報認識結果が前記所定登録条件を満たしたものと判断すると共に、前記特定桁指定部にて指定した前記識別情報認識結果内の特定桁の文字が前記不確定文字の場合、又は、前記識別情報認識結果内の前記不確定文字の合計数が前記不確定許容文字数指定部にて指定した前記不確定許容文字数を超えた場合、前記識別情報認識結果が前記所定登録条件を満たさなかったものと判断するようにした。【００１６】
また、本願請求項５記載の紙葉類管理装置は、本願請求項１〜４の何れか一に記載の構成において、前記登録条件判定部にて前記識別情報認識結果が前記所定登録条件を満たさなかった場合、この識別情報識別結果に関わる入力操作を要求する入力操作要求部を有し、前記登録制御部は、前記入力操作要求部に対する前記識別情報認識結果に関わる入力操作を検出すると、この入力した識別情報を前記記憶部に登録するようにした。【００１７】
また、本願請求項６記載の紙葉類管理装置は、本願請求項１〜４の何れか一に記載の構成において、検索対象の識別情報を入力する検索対象入力部と、前記記憶部に登録中の前記確定文字及び／又は前記不確定文字を含む識別情報認識結果から前記検索対象入力部にて入力した前記検索対象の識別情報に近似する識別情報認識結果を検索する検索制御部と、を有するようにした。【００１８】
また、本願請求項７記載の紙葉類管理装置は、本願請求項１〜４の何れか一に記載の構成において、前記識別情報認識部は、前記紙葉類から複数の同一内容の識別情報を文字認識し、各識別情報に関わる、認識可の文字及び／又は認識不可の文字を含む文字認識結果を取得する文字認識部と、この文字認識部にて取得した各識別情報の文字認識結果同士を桁単位で照合する照合部と、この照合部にて照合した文字認識結果同士の同一桁の文字が全て認識可の同一文字の場合、その文字を同桁の前記確定文字として確定すると共に、前記文字認識結果同士の同一桁の文字が少なくとも一つの認識可の文字を含む異なる文字の場合、これら異なる文字の内、任意の文字を同桁の前記確定文字として確定すると共に、前記文字認識結果同士の同一桁の文字が全て認識不可の文字の場合、同桁の文字を前記不確定文字として確定する文字確定部と、前記文字確定部にて前記文字認識結果内の全桁の文字を確定すると、前記確定文字及び／又は前記不確定文字を含む前記識別情報認識結果を取得する識別情報認識結果取得部と、を有するようにした。【００１９】
また、本願請求項８記載の紙葉類管理装置は、本願請求項７記載の構成において、前記文字確定部は、前記文字認識結果同士の同一桁の文字が少なくとも一つの認識可の文字を含む異なる文字の場合、これら異なる文字の内、任意の文字を同桁の前記確定文字として確定する際、前記複数の文字認識結果の内、前記認識不可の文字の合計数が最小の文字認識結果に関わる同桁の文字を同桁の前記確定文字として確定するようにした。【００２０】
また、本願請求項９記載の紙葉類管理装置は、本願請求項７記載の構成において、前記紙葉類上の同一内容の複数の識別情報の内、各識別情報に付与した優先順位を記憶した優先順位記憶部を有し、前記文字確定部は、前記文字認識結果同士の同一桁の文字が少なくとも一つの認識可の文字を含む異なる文字の場合、これら異なる文字の内、任意の文字を同桁の前記確定文字として確定する際、前記複数の文字認識結果の内、前記優先順位記憶部に記憶中の優先順位の高い方の文字認識結果に関わる同桁の文字を同桁の前記確定文字として確定するようにした。【００２１】
また、本願請求項１０記載の紙葉類管理装置は、本願請求項７記載の構成において、前記照合部にて照合した複数の文字認識結果同士の同一桁間で前記認識可の文字が合致する合致比率を算出する合致比率算出部と、許容合致比率を指定する許容合致比率指定部と、を有し、前記登録条件判定部は、前記合致比率算出部にて算出した前記合致比率が前記許容合致比率指定部にて指定した前記許容合致比率を超えなかった場合、前記識別情報認識結果が前記所定登録条件を満たさなかったものと判断するようにした。【００２２】
また、本願請求項１１記載の紙葉類管理装置は、本願請求項７記載の構成において、検索対象の識別情報を入力する検索対象入力部と、前記記憶部に登録中の前記確定文字及び／又は前記不確定文字を含む識別情報認識結果から前記検索対象入力部にて入力した前記検索対象の識別情報に近似する識別情報認識結果を検索する検索制御部と、を有するようにした。【００２３】
また、本願請求項１２記載の紙葉類管理装置は、本願請求項１〜４の何れか一に記載の構成において、前記識別情報認識部は、前記紙葉類から複数の同一内容の識別情報を文字認識し、各識別情報に関わる、認識可の文字及び／又は認識不可の文字を含む文字認識結果を取得する文字認識部と、この文字認識部にて取得した各識別情報の文字認識結果同士を桁単位で照合する照合部と、この照合部にて照合した前記複数の文字認識結果の内、前記認識不可の文字の合計数が最小の文字認識結果内の全桁の文字で前記確定文字及び／又は前記不確定文字を確定する文字確定部と、前記文字確定部にて前記文字認識結果内の全桁の文字を確定すると、前記確定文字及び／又は前記不確定文字を含む前記識別情報認識結果を取得する識別情報認識結果取得部と、を有するようにした。【００２４】
また、上記目的を達成するために本願請求項１３記載の紙葉類管理方法は、紙葉類を識別する所定桁の識別情報を前記紙葉類から文字認識し、認識可の文字及び／又は認識不可の文字を含む文字認識結果を取得し、取得した文字認識結果に基づき、認識可の確定文字及び／又は認識不可の不確定文字を含む識別情報認識結果を取得する識別情報認識ステップと、この識別情報認識ステップにて取得した前記識別情報認識結果内の前記確定文字又は前記不確定文字に基づき、前記識別情報認識結果が所定登録条件を満たしたか否かを判定する登録条件判定ステップと、この登録条件判定ステップにて前記識別情報認識結果が前記所定登録条件を満たした場合、この識別情報認識結果を記憶部に登録すると共に、前記登録条件判定ステップにて前記識別情報認識結果が前記所定登録条件を満たさなかった場合、この識別情報認識結果の前記記憶部への登録を禁止する登録制御ステップと、を含むようにした。【００２５】
また、上記目的を達成するために本願請求項１４記載の紙葉類管理プログラムは、紙葉類を識別する所定桁の識別情報を前記紙葉類から文字認識し、認識可の文字及び／又は認識不可の文字を含む文字認識結果を取得し、取得した文字認識結果に基づき、認識可の確定文字及び／又は認識不可の不確定文字を含む識別情報認識結果を取得する識別情報認識手順と、この識別情報認識手順にて取得した前記識別情報認識結果内の前記確定文字又は前記不確定文字に基づき、前記識別情報認識結果が所定登録条件を満たしたか否かを判定する登録条件判定手順と、この登録条件判定手順にて前記識別情報認識結果が前記所定登録条件を満たした場合、この識別情報認識結果を記憶部に登録すると共に、前記登録条件判定手順にて前記識別情報認識結果が前記所定登録条件を満たさなかった場合、この識別情報認識結果の前記記憶部への登録を禁止する登録制御手順と、を含む処理プログラムをコンピュータ装置に実行させるようにした。
【発明の効果】
【００２６】
上記のように構成された本願請求項１記載の紙葉類管理装置では、識別情報認識結果内の前記確定文字又は前記不確定文字に基づき、前記識別情報認識結果が所定登録条件を満たした場合、その識別情報認識結果を記憶部に登録すると共に、前記識別情報認識結果が所定登録条件を満たさなかった場合、その識別情報認識結果の記憶部への登録を禁止するようにした。つまり、前記識別情報認識結果が所定登録条件を満たした、例えば、識別情報認識結果内の不確定文字の有無に関係なく、その識別情報認識結果が特定可能な場合、その識別情報認識結果を記憶部に登録すると共に、前記識別情報認識結果が所定登録条件を満たさなかった、例えば、識別情報認識結果が特定不可能な場合、その識別情報認識結果の記憶部への登録を禁止するようにした。その結果、紙葉類管理装置では、特定不可能な識別情報認識結果のままでの記憶部への無駄な登録を回避すると共に、不確定文字を含む識別情報認識結果であっても、特定可能な識別情報認識結果の場合には、入力操作を要することなく、その識別情報認識結果を記憶部へ登録することで、識別情報入力に要するユーザ側の操作負担を大幅に軽減することができる。【００２７】
また、本願請求項２記載の紙葉類管理装置では、本願請求項１記載の効果に加えて、前記識別情報認識結果内の前記特定桁指定部にて指定した特定桁の文字が前記確定文字の場合、この識別情報認識結果が前記所定登録条件を満たしたものと判断すると共に、前記識別情報認識結果内の特定桁の文字が不確定文字の場合、この識別情報認識結果が前記所定登録条件を満たさなかったものと判断するようにした。つまり、前記識別情報認識結果内の特定桁の文字が確定文字の場合、その識別情報認識結果を特定可能と判断し、その識別情報認識結果を記憶部に登録すると共に、前記特定桁の文字が不確定文字の場合、その識別情報認識結果を特定不可能と判断し、その識別情報認識結果の記憶部への登録を禁止するようにした。その結果、紙葉類管理装置では、識別情報認識結果が不確定文字を含む場合でも、特定桁の条件を満たした場合には、入力操作を要することなく、その識別情報認識結果を記憶部へ登録することで、識別情報入力に要するユーザ側の操作負担を大幅に軽減することができる。【００２８】
また、紙葉類管理装置では、特定桁指定部を通じて、前記識別情報認識結果を識別するのに必要な文字、例えば、紙幣の造幣局を表す文字や、チェックディジットに使用する文字を記載した桁を特定桁としてユーザ側で自由に指定できるようにしたので、識別に必要な文字を記載した桁が異なる様々な紙葉類にも十分に対応することができると共に、特定桁を条件とした登録条件範囲を自由に設定することができる。【００２９】
また、本願請求項３記載の紙葉類管理装置では、本願請求項１記載の効果に加えて、前記識別情報認識結果内の前記不確定文字の合計数が前記不確定許容文字数指定部にて指定した前記許容文字数以内の場合、前記識別情報認識結果が所定登録条件を満たしたものと判断すると共に、前記識別情報認識結果内の前記不確定文字の合計数が前記許容文字数を超えた場合、前記識別情報認識結果が所定登録条件を満たさなかったものと判断するようにした。つまり、前記識別情報認識結果内の前記不確定文字の合計数が前記許容文字数以内の場合、その識別情報認識結果を特定可能と判断し、その識別情報認識結果を記憶部に登録すると共に、前記識別情報認識結果内の前記不確定文字の合計数が前記許容文字数を超えた場合、その識別情報認識結果を特定不可能と判断し、その識別情報認識結果の記憶部への登録を禁止するようにした。その結果、紙葉類管理装置では、前記識別情報認識結果が不確定文字を含む場合でも、許容文字数の条件を満たした場合には、入力操作を要することなく、その識別情報認識結果を記憶部に登録することで、識別情報入力に要するユーザ側の操作負担を大幅に軽減することができる。【００３０】
また、紙葉類管理装置では、不確定許容文字数指定部を通じて、前記識別情報認識結果を識別するのに許容できる不確定文字の許容文字数をユーザ側で自由に指定できるようにしたので、桁数の異なる様々な紙葉類にも十分対応することができると共に、その不確定文字の許容文字数を条件とした登録条件範囲を自由に設定することができる。【００３１】
また、本願請求項４記載の紙葉類管理装置では、本願請求項１記載の効果に加えて、前記識別情報認識結果内の前記特定桁指定部にて指定した特定桁の文字が前記確定文字の場合、かつ、前記識別情報認識結果内の前記不確定文字の合計数が前記不確定許容文字数指定部にて指定した前記許容文字数以内の場合、前記識別情報認識結果が前記所定登録条件を満たしたものと判断すると共に、前記識別情報認識結果内の特定桁の文字が前記不確定文字の場合、又は、前記識別情報認識結果内の前記不確定文字の合計数が前記不確定許容文字数指定部にて指定した前記不確定許容文字数を超えた場合、前記識別情報認識結果が前記所定登録条件を満たさなかったものと判断するようにした。その結果、紙葉類管理装置では、前記識別情報認識結果が不確定文字を含む場合でも、特定桁及び許容文字数の条件を満たした場合には、入力操作を要することなく、その識別情報認識結果を記憶部に登録することで、識別情報入力に要するユーザ側の操作負担を大幅に軽減することができる。【００３２】
また、紙葉類管理装置では、特定桁指定部及び不確定許容文字数指定部を通じて、前記識別情報認識結果内の特定桁及び許容文字数をユーザ側で自由に指定できるようにしたので、様々な紙葉類にも十分対応することができると共に、これら特定桁及び許容文字数を条件とした登録条件範囲を自由に設定することができる。【００３３】
また、本願請求項５記載の紙葉類管理装置では、本願請求項１〜４の何れか一に記載の効果に加えて、前記識別情報認識結果が前記所定登録条件を満たさなかった場合、この識別情報認識結果に関わる入力操作を要求し、前記識別情報認識結果に関わる入力操作を検出すると、この入力操作に関わる識別情報認識結果を前記記憶部に登録するようにした。その結果、紙葉類管理装置では、識別情報認識結果が所定登録条件を満たさなかった場合にのみ、識別情報認識結果の入力操作を要求することになるため、識別情報入力に要するユーザ側の操作負担を大幅に軽減することができる。【００３４】
また、本願請求項６記載の紙葉類管理装置では、本願請求項１〜４の何れか一に記載の効果に加えて、前記記憶部に登録中の前記確定文字及び／又は前記不確定文字を含む識別情報認識結果から前記検索対象入力部にて入力した前記検索対象の識別情報に近似する識別情報認識結果を検索するようにしたので、例えば、不確定文字を含む識別情報認識結果の中から検索対象の識別情報に近似する識別情報認識結果を容易に検索することができる。【００３５】
また、本願請求項７記載の紙葉類管理装置では、本願請求項１〜４の何れか一に記載の効果に加えて、前記紙葉類内に同一内容の識別情報が複数ある場合、これら識別情報の文字認識結果同士を照合し、前記文字認識結果同士の同一桁の文字が全て認識可の同一文字の場合、その文字を同桁の前記確定文字として確定すると共に、前記文字認識結果同士の同一桁の文字が少なくとも一つの認識可の文字を含む異なる文字の場合、これら異なる文字の内、任意の文字を同桁の前記確定文字として確定すると共に、前記文字認識結果同士の同一桁の文字が全て認識不可の文字の場合、同桁の文字を不確定文字として確定し、前記文字認識結果内の全桁の文字を確定すると、前記確定文字及び／又は前記不確定文字を含む前記識別情報認識結果を取得するようにしたので、複数の文字認識結果同士の照合結果に基づき、識別情報認識結果内の全桁の文字を確定することができる。【００３６】
また、本願請求項８記載の紙葉類管理装置では、本願請求項７記載の効果に加えて、前記文字認識結果同士の同一桁の文字が少なくとも一つの認識可の文字を含む異なる文字の場合、これら異なる文字の内、任意の文字を同桁の確定文字として確定する際、前記複数の文字認識結果の内、前記認識不可の文字の合計数が最小の文字認識結果に関わる同桁の文字を同桁の確定文字として確定するようにしたので、識別情報認識結果内の各桁の文字を容易に確定することができる。【００３７】
また、本願請求項９記載の紙葉類管理装置では、本願請求項７記載の効果に加えて、前記文字認識結果同士の同一桁の文字が少なくとも一つの認識可の文字を含む異なる文字の場合、これら異なる文字の内、任意の文字を同桁の前記確定文字として確定する際、前記複数の文字認識結果の内、前記優先順位記憶部に記憶中の優先順位の高い方の文字認識結果に関わる同桁の文字を同桁の前記確定文字として確定するようにしたので、識別情報認識結果内の各桁の文字を容易に確定することができる。【００３８】
また、本願請求項１０記載の紙葉類管理装置では、本願請求項７記載の効果に加えて、前記合致比率算出部にて算出した前記合致比率が前記許容合致比率指定部にて設定した前記許容合致比率を超えなかった場合、前記識別情報認識結果が前記所定登録条件を満たさなかったものと判断するようにした。その結果、紙葉類管理装置では、前記合致比率が許容合致比率を超えなかった場合、文字認識結果同士の同一桁間で前記確定文字が合致する合致比率が低く、その識別情報認識結果の認識信頼性が低いものと判断し、その識別情報認識結果の記憶部への登録を禁止するようにしたので、識別情報認識結果の誤認識による不具合を回避することができる。【００３９】
また、本願請求項１１記載の紙葉類管理装置では、本願請求項７記載の効果に加えて、前記記憶部に登録中の前記確定文字及び／又は前記不確定文字を含む識別情報認識結果から前記検索対象入力部にて入力した前記検索対象の識別情報に近似する識別情報認識結果を検索するようにしたので、例えば、不確定文字を含む識別情報認識結果の中から検索対象の識別情報に近似する識別情報認識結果を容易に検索することができる。【００４０】
また、本願請求項１２記載の紙葉類管理装置では、本願請求項１〜４の何れか一に記載の効果に加えて、前記紙葉類内に同一内容の識別情報が複数ある場合、前記複数の文字認識結果の内、前記認識不可の文字の合計数が最小の文字認識結果内の全桁の文字で前記確定文字及び／又は前記不確定文字を確定し、前記文字認識結果内の全桁の文字を確定すると、前記確定文字及び／又は前記不確定文字を含む前記識別情報認識結果を取得するようにしたので、識別情報認識結果内の各桁の文字を確定する処理負担を大幅に軽減することができる。【００４１】
また、本願請求項１３記載の紙葉類管理方法では、識別情報認識結果内の前記確定文字又は前記不確定文字に基づき、前記識別情報認識結果が所定登録条件を満たした場合、その識別情報認識結果を記憶部に登録すると共に、前記識別情報認識結果が所定登録条件を満たさなかった場合、その識別情報認識結果の記憶部への登録を禁止するようにした。つまり、前記識別情報認識結果が所定登録条件を満たした、例えば、識別情報認識結果内の不確定文字の有無に関係なく、その識別情報認識結果が特定可能な場合、その識別情報認識結果を記憶部に登録すると共に、前記識別情報認識結果が所定登録条件を満たさなかった、例えば、識別情報認識結果が特定不可能な場合、その識別情報認識結果の記憶部への登録を禁止するようにした。その結果、紙葉類管理方法では、特定不可能な識別情報認識結果のままでの記憶部への無駄な登録を回避すると共に、不確定文字を含む識別情報認識結果であっても、特定可能な識別情報認識結果の場合には、入力操作を要することなく、その識別情報認識結果を記憶部へ登録することで、識別情報入力に要するユーザ側の操作負担を大幅に軽減することができる。【００４２】
また、本願請求項１４記載の紙葉類管理プログラムでは、識別情報認識結果内の前記確定文字又は前記不確定文字に基づき、前記識別情報認識結果が所定登録条件を満たした場合、その識別情報認識結果を記憶部に登録すると共に、前記識別情報認識結果が所定登録条件を満たさなかった場合、その識別情報認識結果の記憶部への登録を禁止するようにした。つまり、前記識別情報認識結果が所定登録条件を満たした、例えば、識別情報認識結果内の不確定文字の有無に関係なく、その識別情報認識結果が特定可能な場合、その識別情報認識結果を記憶部に登録すると共に、前記識別情報認識結果が所定登録条件を満たさなかった、例えば、識別情報認識結果が特定不可能な場合、その識別情報認識結果の記憶部への登録を禁止するようにした。その結果、紙葉類管理プログラムでは、特定不可能な識別情報認識結果のままでの記憶部への無駄な登録を回避すると共に、不確定文字を含む識別情報認識結果であっても、特定可能な識別情報認識結果の場合には、入力操作を要することなく、その識別情報認識結果を記憶部へ登録することで、識別情報入力に要するユーザ側の操作負担を大幅に軽減することができる。
【図面の簡単な説明】
【００４３】
【図１】図１は、本実施の形態を示す紙幣管理システム全体の概略構成を示すシステム説明図である。
【図２】図２は、紙幣管理システム内部の概略構成を示すブロック図である。
【図３】図３は、一般的な紙幣の記番号の位置関係を端的に示す説明図である。
【図４】図４は、紙幣管理装置側の表示部に表示中の記番号登録条件設定画面を端的に示す説明図である。
【図５】図５は、紙幣管理装置側の管理側制御部に関わる記番号認識部内部の概略構成を示すブロック図である。
【図６】図６は、紙幣管理装置側の管理側制御部に関わる記番号登録条件処理部内部の概略構成を示すブロック図である。
【図７】図７は、紙幣管理装置側の表示部に表示中の記番号入力画面を端的に示す説明図である。
【図８】図８は、紙幣管理装置側の表示部に表示中の記番号検索画面を端的に示す説明図である。
【図９】図９は、紙幣管理装置側の記番号登録条件設定処理に関わる管理側制御部内部の処理動作を示すフローチャートである。
【図１０】図１０は、紙幣管理装置側の記番号認識処理に関わる管理側制御部内部の処理動作を示すフローチャートである。
【図１１】図１１は、紙幣管理装置側の記番号認識処理に関わる管理側制御部内部の処理動作を示すフローチャートである。
【図１２】図１２は、紙幣管理装置側の記番号認識処理に関わる処理動作を端的に示す説明図である。
【図１３】図１３は、紙幣管理装置側の紙幣詳細情報登録処理に関わる管理側制御部内部の処理動作を示すフローチャートである。
【図１４】図１４は、紙幣管理装置側の紙幣詳細情報検索処理に関わる管理側制御部内部の処理動作を示すフローチャートである。
【符号の説明】
【００４４】
１  紙幣管理システム
２  紙幣処理装置
３  紙幣管理装置
３２Ａ  特定桁指定部
３２Ｂ  許容エラー文字数指定部
３２Ｃ  合致比率指定部
３２Ｄ  検索対象入力部
３３  データベース
３８Ａ  記番号認識部
３８Ｂ  記番号登録条件処理部
３８Ｅ  ＤＢ制御部
３８Ｆ  検索制御部
４３  記番号文字認識部
４４  記番号照合部
４５  文字確定部
４６  異番チェック処理部
４７  記番号認識結果取得部
６１  特定桁判定部
６２  許容エラー文字数判定部
６３  合致比率判定部
６４  偽造紙幣リスト判定部
６５  記番号入力要求部
【発明を実施するための最良の形態】
【００４５】
以下、図面に基づき本発明の紙葉類管理装置、紙葉類管理方法及び紙葉類管理プログラムに関わる実施の形態を示す紙幣管理システムについて詳細に説明する。【００４６】
まず、最初に本実施の形態の概要を説明するとすれば、その概要は、紙幣の記番号を文字認識し、その文字認識結果から取得した記番号認識結果内の確定文字又は不確定文字(エラー文字)に基づき、その記番号認識結果が所定登録条件を満たした、すなわち、不確定文字(エラー文字)があるにも関わらず、その記番号認識結果が特定可能な場合、その記番号認識結果をデータベースに登録すると共に、記番号認識結果が所定登録条件を満たさなかった、すなわち、記番号認識結果が特定不可能な場合、この記番号認識結果のデータベースへの登録を禁止するようにした。【００４７】
その結果、本実施の形態では、特定不可能な記番号認識結果のままでのデータベースへの不要な登録を回避すると共に、不確定文字(エラー文字)を含む記番号認識結果であっても、特定可能な記番号認識結果の場合には、入力操作を要することなく、その記番号認識結果をデータベースへ登録することで、記番号入力に要するユーザ側の操作負担を大幅に軽減することができる。【００４８】
図１は、本実施の形態を示す紙幣管理システム全体の概略構成を示す説明図、図２は、紙幣管理システム内部の概略構成を示すブロック図である。【００４９】
図１に示す紙幣管理システム１は、紙幣を集積する複数のスタッカ１１を備え、スタッカ１１毎に設定した分類条件に基づき、紙幣を分類し、この分類した紙幣を分類条件に対応した複数のスタッカ１１に順次集積する紙幣処理装置２と、この紙幣処理装置２を管理するパソコン等の紙幣管理装置３とを有している。【００５０】
紙幣処理装置２は、紙幣を投入する紙幣投入部１２と、紙幣投入部１２から投入した紙幣を一枚単位で搬送する搬送部１３(図２参照)と、搬送部１３で搬送した紙幣を順次集積する複数のスタッカ１１と、スタッカ１１の分類条件に該当しない紙幣をリジェクトするリジェクト部１４と、スタッカ１１毎に、状態を表示するスタッカ表示部１５と、様々な情報を入力又は表示する操作表示部１６とを有している。【００５１】
スタッカ１１は、紙幣の分類条件毎に、第１スタッカ１１Ａ、第２スタッカ１１Ｂ、第３スタッカ１１Ｃ及び第４スタッカ１１Ｄを有している。尚、分類条件は、紙幣管理装置３側の指定操作に応じて適宜変更可能である。【００５２】
紙幣処理装置２は、搬送部１３で搬送した紙幣が第１スタッカ１１Ａの分類条件に該当する場合、その紙幣を第１スタッカ１１Ａに集積し、搬送部１３で搬送した紙幣が第２スタッカ１１Ｂの分類条件に該当する場合、その紙幣を第２スタッカ１１Ｂに集積し、搬送部１３で搬送した紙幣が第３スタッカ１１Ｃの分類条件に該当する場合、その紙幣を第３スタッカ１１Ｃに集積し、搬送部１３で搬送した紙幣が第４スタッカ１１Ｄの分類条件に該当する場合、その紙幣を第４スタッカ１１Ｄに集積するものである。【００５３】
また、紙幣処理装置２は、搬送部１３で搬送した紙幣が第１スタッカ１１Ａ、第２スタッカ１１Ｂ、第３スタッカ１１Ｃ及び第４スタッカ１１Ｄの分類条件に該当しない場合、その紙幣をリジェクト部１４に搬送するものである。【００５４】
紙幣管理装置３は、紙幣処理装置２と接続し、その紙幣処理装置２を管理し、様々な情報を表示する表示部３１と、様々な情報を入力する管理側操作部３２と、紙幣の紙幣詳細情報を登録管理するデータベース３３とを有している。【００５５】
また、図２に示す紙幣処理装置２は、スタッカ１１及び搬送部１３等のメカ機構１７と、操作表示部１６と、様々な情報を記憶する処理側メモリ部１８と、紙幣管理装置３との通信インタフェースを司る処理側インタフェース１９とを有している。【００５６】
更に、紙幣処理装置２は、搬送部１３で搬送した紙幣の表面及び裏面の紙幣画像を撮像する撮像部２０と、撮像部２０にて撮像した紙幣画像から紙幣情報を抽出する紙幣情報抽出部２１と、メカ機構１７を駆動制御する駆動制御部２２と、紙幣処理装置２全体を制御する処理側制御部２３とを有している。【００５７】
撮像部２０は、搬送部１３で搬送した紙幣に対して可視光、赤外光や緑光等の複数種類の光を照射する光照射部２０Ｂと、ＣＣＤ（Ｃｈａｒｇｅ  Ｃｏｕｐｌｅｄ  Ｄｅｖｉｃｅ）カメラ２０Ａとを有している。【００５８】
撮像部２０は、搬送部１３で搬送した紙幣に対して複数種類の光を光照射部２０Ｂで順次照射し、その紙幣に反射した反射光をＣＣＤカメラ２０Ａで受光することで、その紙幣の表面及び裏面の画像を撮像するものである。【００５９】
更に、撮像部２０は、紙幣に対して光照射部２０Ｂで光を照射し、その紙幣の表面及び裏面を透過した透過光をＣＣＤカメラ２０Ａで受光することで、紙幣の透過画像を撮像するものである。【００６０】
また、撮像部２０は、紙幣の表面及び裏面の磁気分布を検出する磁気センサ２０Ｃを有し、磁気センサ２０Ｃで検出した各紙幣の磁気分布を取得するものである。【００６１】
つまり、撮像部２０では、搬送部１３で搬送した紙幣の表面及び裏面の画像、紙幣の透過画像及び紙幣の磁気分布を紙幣画像として取得するものである。【００６２】
紙幣情報抽出部２１は、搬送部１３で搬送した紙幣の金種を識別する金種識別部２１Ａと、搬送部１３で搬送した紙幣の正券や損券等を識別する正損識別部２１Ｂとを有している。【００６３】
金種識別部２１Ａは、撮像部２０から取得した紙幣の紙幣画像に基づき、例えば、日本紙幣の場合、一万円、五千円、二千円や千円等の金種及び新旧券（紙幣改刷での前と後の紙幣）を識別するものである。尚、海外紙幣の場合、金種の他に、その金種の一部として版数（新旧券の世代）も識別するものである。【００６４】
また、正損識別部２１Ｂは、撮像部２０から取得した紙幣の紙幣画像に基づき、例えば、金融機関のＡＴＭに装填可能な紙幣に相当する正券（以下、単にＡＴＭＦＩＴ券と称する）、窓口で使用可能な紙幣に相当する正券（以下、単にテラーＦＩＴ券と称する）、流通に適さない紙幣に相当する損券（ＵＮＦＩＴ券と称する）等の正損結果を識別するものである。尚、ＡＴＭＦＩＴ券は、テラーＦＩＴ券に比較して、例えば、紙幣の“こし”が強く、“汚れ”も少なく、ＡＴＭの内部機構を円滑に通過することができる紙幣に相当するものである。【００６５】
処理側制御部２３は、紙幣の紙幣情報を生成する紙幣情報生成部２３Ａを有している。【００６６】
紙幣情報生成部２３Ａは、撮像部２０からの紙幣画像、金種識別部２１Ａの金種結果、正損識別部２１Ｂの正損結果及び、その紙幣に関する取引を識別する取引ＩＤを紙幣情報として生成するものである。【００６７】
また、紙幣管理装置３は、表示部３１、管理側操作部３２及びデータベース３３の他に、紙幣処理装置２との通信インタフェースを司る管理側インタフェース３４と、様々な情報を記憶する管理側メモリ部３５とを有している。【００６８】
また、紙幣管理装置３は、後述する紙幣の記番号をデータベース３３に登録する際に使用する記番号登録条件を設定記憶した記番号登録条件設定メモリ部３６と、後述するデータベース３３に登録中の紙幣詳細情報を記番号で検索する際に使用する検索条件を設定記憶した検索条件設定メモリ部３７と、紙幣管理装置３全体を制御する管理側制御部３８とを有している。【００６９】
図３は、一般的な紙幣の記番号の位置関係を端的に示す説明図である。【００７０】
図３に示す紙幣には、その紙幣を識別する所定複数桁の記番号を複数配置し、例えば、左下端部に記番号Ａ、右上端部に記番号Ｂが記載してあるものとする。尚、記番号Ａ及び記番号Ｂは同一内容の記番号に相当し、記番号の所定複数桁の内、例えば、第１桁目には、紙幣の識別に必要な造幣局を表す文字が付与されているものとする。【００７１】
図２に示す紙幣管理装置３の管理側制御部３８は、紙幣処理装置２から受信した紙幣情報内の紙幣画像に基づき各記番号の文字認識結果を取得し、これら取得した記番号の文字認識結果から紙幣の記番号認識結果を取得する記番号認識部３８Ａと、記番号認識部３８Ａにて取得した記番号認識結果が所定登録条件を満たしているか否かを判定する記番号登録条件処理部３８Ｂとを有している。【００７２】
記番号認識部３８Ａは、紙幣情報内の紙幣画像から各記番号の記番号領域を抽出し、抽出した記番号領域から記番号を文字認識し、例えば、記番号Ａ及び記番号Ｂの文字認識結果を取得するものである。尚、記番号認識部３８Ａでは、本来、記番号Ａ及び記番号Ｂが同一内容の記番号であるため、同一の文字認識結果を取得することになるが、例えば、紙幣の状態に応じて記番号Ａ及び記番号Ｂで異なる文字認識結果が得られることもある。【００７３】
また、記番号認識部３８Ａは、記番号Ａの文字認識結果及び記番号Ｂの文字認識結果を照合し、その照合結果に基づき、記番号認識結果を取得するものである。例えば、本来の記番号は“１２３４５６７８９０”、記番号Ａの文字認識結果が“１２３４５６？８９０”、記番号Ｂの文字認識結果が“１？３？５６？６？０”の場合、記番号認識部３８Ａでは、記番号Ａ及び記番号Ｂの文字認識結果を照合し、“１２３４５６？８９０”の記番号認識結果を取得することになる。尚、文字認識結果内の“？”の文字は認識不可の文字であるのに対し、記番号認識結果内の“？”は認識不可のエラー文字に相当するものである。【００７４】
また、記番号登録条件処理部３８Ｂは、記番号認識部３８Ａの記番号認識結果を取得すると、記番号認識結果が所定登録条件を満たしているか否かを判定するものである。尚、所定登録条件は、記番号認識結果の複数桁の内、照合必要特定桁の文字が確定文字とする第１登録条件と、記番号認識結果のエラー文字“？”の合計数が許容エラー文字数以内とする第２登録条件と、記番号Ａ及び記番号Ｂの文字認識結果内の同一桁の認識可の文字が合致する合致比率が照合必要合致比率を超えたとする第３登録条件と、記番号認識結果が偽造紙幣リスト内にないとする第４登録条件等とを有している。【００７５】
第１登録条件の照合必要特定桁とは、記番号認識結果の複数桁の内、記番号の識別に必要な文字、例えば、造幣局を表す文字や、チェックディジットに使用する文字を記載した桁に相当するものである。尚、照合必要特定桁は、後述する特定桁指定部３２Ａのユーザ操作で自由に指定できるものである。【００７６】
第２登録条件の許容エラー文字数とは、記番号認識結果内のエラー文字の数が許容できる文字数に相当するものである。尚、許容エラー文字数は、後述する許容エラー文字数指定部３２Ｂのユーザ操作で自由に指定できるものである。【００７７】
第３登録条件の照合必要合致比率とは、記番号Ａ及び記番号Ｂの文字認識結果同士を照合する上で必要な、文字認識結果同士の同一桁間で認識可の文字が合致する合致比率に相当するものである。尚、照合必要合致比率は、後述する合致比率指定部３２Ｃのユーザ操作で自由に指定できるものである。【００７８】
第４登録条件の偽造紙幣リストとは、例えば、警察機関等から提供を受けた偽造紙幣の記番号等に相当するものである。【００７９】
また、紙幣管理装置３は、記番号登録条件処理部３８Ｂにて記番号認識結果が所定登録条件を満たした場合、その紙幣の記番号認識結果(又は入力記番号)及び同紙幣の紙幣情報に基づき紙幣詳細情報を生成する紙幣詳細情報生成部３８Ｃと、その紙幣の取引に関わる取引情報を生成する取引情報生成部３８Ｄとを有している。尚、入力記番号とは、入力操作による記番号に相当するものである。【００８０】
紙幣詳細情報生成部３８Ｃは、紙幣処理装置２からの紙幣情報及び記番号認識部３８Ａの記番号認識結果(入力記番号)に基づき紙幣詳細情報を生成するものである。尚、紙幣詳細情報には、その紙幣を識別する紙幣管理番号と、その紙幣の記番号(記番号認識結果又は入力記番号)と、その紙幣の金種結果と、その紙幣の版数と、その紙幣の正損結果と、その紙幣を分類したスタッカ１１の分類条件と、その紙幣の取引ＩＤと、その紙幣の紙幣画像とを有している。【００８１】
また、取引情報生成部３８Ｄは、紙幣詳細情報生成部３８Ｃにて生成した紙幣詳細情報内の取引ＩＤの内容として取引情報を生成するものである。尚、取引情報は、その紙幣の取引ＩＤと、その紙幣の取引開始日時と、その紙幣の取引終了日時と、その紙幣の取引者を識別するユーザＩＤと、その紙幣の取引相手を識別する顧客ＩＤと、その紙幣を取引した窓口やＡＴＭを識別する窓口／ＡＴＭ番号と、その紙幣を取引した店舗を識別する店舗コードとを有している。【００８２】
また、データベース３３は、紙幣詳細情報を登録する紙幣詳細情報一覧データベース３３Ａと、取引情報を登録する取引一覧データベース３３Ｂとを有している。【００８３】
また、紙幣管理装置３の管理側操作部３２は、第１登録条件として記番号認識結果の照合必要特定桁を指定する特定桁指定部３２Ａと、第２登録条件として記番号認識結果内の許容エラー文字数を指定する許容エラー文字数指定部３２Ｂと、第３登録条件として照合必要合致比率を指定する合致比率指定部３２Ｃと、検索対象の記番号を入力する検索対象入力部３２Ｄと、検索条件を指定する検索条件指定部３２Ｅと、記番号の桁数を指定する記番号桁数指定部３２Ｆ等とを有している。【００８４】
図４は、紙幣管理装置３側の表示部３１に表示中の記番号登録条件設定画面の内容を端的に示す説明図である。【００８５】
図４に示す記番号登録条件設定画面７０上には、記番号桁数指定部３２Ｆにて記番号桁数を指定入力する入力欄７１と、特定桁指定部３２Ａにて照合必要桁数を指定するチェックボックス指定欄７２と、許容エラー文字数指定部３２Ｂにて許容エラー文字数を指定入力する入力欄７３と、合致比率指定部３２Ｃにて照合必要合致比率を指定入力する入力欄７４と、記番号登録条件設定を終了する終了ボタン７５等とを有している。【００８６】
管理側制御部３８内の記番号登録条件設定部３８Ｇは、記番号桁数指定部３２Ｆを通じて記番号登録条件設定画面７０上の入力欄７１に対する紙幣の記番号に関わる記番号桁数
の指定入力を検出すると、その記番号桁数に応じたチェックボックス指定欄７２を記番号登録条件設定画面７０上に画面表示するものである。尚、記番号桁数を１５桁に指定した場合、１５個のチェックボックス指定欄７２を画面表示することになる。【００８７】
特定桁指定部３２Ａは、記番号の桁に応じたチェックボックス指定欄７２をチェックし、記番号の複数桁の内、１又は複数の任意桁を必要照合特定桁として指定するものである。【００８８】
検索条件指定部３２Ｅは、第１検索条件として、データベース３３に登録中の紙幣詳細情報に関わる記番号から許容可能な検索エラー文字数を指定すると共に、第２検索条件として、データベース３３に登録中の紙幣詳細情報に関わる記番号の確定文字を近似文字に置換できる近似桁数を指定すると共に、第３検索条件として、データベース３３に登録中の紙幣詳細情報に関わる記番号の検索必要特定桁を指定するものである。【００８９】
第１検索条件の検索エラー文字数は、データベース３３に登録中の紙幣詳細情報の記番号(記番号認識結果又は入力記番号)の内、そのエラー文字数以内の記番号のみを検索する検索条件に相当するものである。尚、例えば、検索エラー文字数が“１”の場合、検索制御部３８Ｆは、データベース３３に登録中のエラー文字数が１個以内の記番号に関わる紙幣詳細情報のみを検索するものである。【００９０】
第２検索条件の近似桁数は、データベース３３に登録中の紙幣詳細情報の記番号から検索対象の記番号に近似する記番号を検索する際、データベース３３に登録中の記番号の確定文字の内、照合必要特定桁以外の桁の確定文字を近似文字に置換できる許容桁数に相当するものである。【００９１】
例えば、検索対象の記番号を“５５５５…”、近似桁数を“１”、確定文字“５”に対する近似文字が“Ｓ”や“６”、照合必要特定桁を第１桁目とした場合、検索制御部３８Ｆは、データベース３３に登録中の紙幣詳細情報の記番号認識結果から検索対象の記番号“５５５５…”に近似する“５Ｓ５５…”、“５５Ｓ５…”、“５５５Ｓ…”、“５６５５…”、“５５６５…”等の記番号を検索するものである。【００９２】
第３検索条件の検索必要特定桁は、データベース３３に登録中の紙幣詳細情報の記番号の内、その検索必要特定桁が確定文字の記番号のみを検索する検索条件に相当するものである。尚、例えば、検索必要特定桁が第３桁の場合、検索制御部３８Ｆは、データベース３３に登録中の第３桁目が確定文字の記番号に関わる紙幣詳細情報のみを検索するものである。【００９３】
また、管理側制御部３８は、データベース３３を登録制御するデータベース制御部(以下、単にＤＢ制御部と称する)３８Ｅと、検索対象入力部３２Ｄにて入力した検索対象の記番号に関わる紙幣詳細情報をデータベース３３から検索する検索制御部３８Ｆとを有している。【００９４】
ＤＢ制御部３８Ｅは、紙幣の紙幣詳細情報及び取引情報をデータベース３３に登録するものである。【００９５】
また、検索制御部３８Ｆは、検索条件指定部３２Ｅにて指定した検索条件に基づき、検索対象入力部３２Ｄにて入力した検索対象の記番号に関わる紙幣詳細情報をデータベース３３から検索し、その検索結果を表示部３１に画面表示するものである。尚、管理側制御部３８は、その検索結果を印字出力することも可能である。【００９６】
また、管理側制御部３８は、管理側操作部３２にて指定した記番号登録条件を設定する記番号登録条件設定部３８Ｇと、検索条件指定部３２Ｅにて指定した検索条件を設定する検索条件設定部３８Ｈとを有している。【００９７】
記番号登録条件設定部３８Ｇは、特定桁指定部３２Ａにて指定した第１登録条件に相当する記番号認識結果内の照合必要特定桁と、許容エラー文字数指定部３２Ｂにて指定した第２登録条件に相当する記番号認識結果内の許容エラー文字数と、合致比率指定部３２Ｃにて指定した第３登録要件に相当する照合必要合致比率とを記番号登録条件設定メモリ部３６に設定するものである。【００９８】
検索条件設定部３８Ｈは、検索条件指定部３２Ｅにて指定した第１検索条件に相当する検索エラー文字数と、検索条件指定部３２Ｅにて指定した第２検索条件に相当する近似桁数と、検索条件指定部３２Ｅにて指定した第３検索条件に相当する記番号の検索必要特定桁とを検索条件設定メモリ部３７に設定するものである。【００９９】
図５は、紙幣管理装置３側の管理側制御部３８に関わる記番号認識部３８Ａ内部の概略構成を示すブロック図である。【０１００】
図５に示す記番号認識部３８Ａは、紙幣処理装置２からの紙幣情報を管理側インタフェース３４経由で受信する紙幣情報受信部４１と、紙幣情報受信部４１にて受信した紙幣画像から紙幣上の、例えば、記番号Ａ及び記番号Ｂの合計２個の記番号領域を抽出する記番号領域抽出部４２とを有している。【０１０１】
また、記番号認識部３８Ａは、記番号領域抽出部４２にて抽出した記番号領域から記番号Ａ及び記番号Ｂを文字認識する記番号文字認識部４３と、記番号文字認識部４３にて文字認識した記番号Ａ及び記番号Ｂの文字認識結果を照合する記番号照合部４４とを有している。【０１０２】
記番号文字認識部４３は、記番号領域から記番号を桁単位で文字認識し、文字認識ができた場合、認識可の文字を同桁の文字とすると共に、文字認識ができなかった場合、認識不可を示す文字“？”を同桁の文字とするものである。【０１０３】
記番号文字認識部４３は、記番号Ａ及び記番号Ｂの全桁の文字認識結果を取得するものである。尚、記番号文字認識部４３は、図１２に示す例では、記番号Ａ側の文字認識結果“１２３？５６？８９０”及び記番号Ｂ側の文字認識結果“１？３？５６７６？０”を取得することになる。【０１０４】
記番号照合部４４は、記番号Ａの文字認識結果及び記番号Ｂの文字認識結果を桁単位で比較照合するものである。【０１０５】
また、記番号認識部３８Ａは、記番号照合部４４の文字認識結果同士を桁単位で照合し、その照合結果に基づき、記番号の各桁の文字を確定する文字確定部４５と、記番号Ａ及び記番号Ｂの文字認識結果に基づき異番チェック処理を実行する異番チェック処理部４６と、文字確定部４５にて全桁の文字を確定した記番号認識結果を取得する記番号認識結果取得部４７とを有している。【０１０６】
文字確定部４５は、記番号照合部４４による記番号Ａ及び記番号Ｂの文字認識結果同士の桁単位の照合結果に基づき、その同一桁の文字が全て認識可の同一文字の場合、同桁の文字を同桁の確定文字として確定するものである。尚、記番号Ａの第３桁目の文字が“３”及び記番号Ｂの第３桁目の文字が“３”、すなわち、同一桁の文字が全て認識可の同一文字の場合、文字確定部４５は、記番号認識結果内の第３桁目の文字を確定文字“３”として確定するものである。【０１０７】
また、文字確定部４５は、同一桁の文字が全て認識不可の文字の場合、同桁の文字をエラー文字“？”として確定するものである。尚、記番号Ａの第４桁目の文字が“？”及び記番号Ｂの第４桁目の文字が“？”、すなわち、同一桁の文字が全て認識不可の文字の場合、文字確定部４５は、記番号認識結果内の第４桁目の文字をエラー文字“？”として確定するものである。【０１０８】
また、文字確定部４５は、同一桁の文字が認識可の文字及び認識不可の文字を含む文字の場合、認識可の文字の内、任意の文字を同桁の確定文字として確定するものである。尚、記番号Ａの第７桁目の文字が“？”及び記番号Ｂの第７桁目の文字が“７”の場合、文字確定部４５は、記番号認識結果内の第７桁目の文字を確定文字“７”として確定するものである。【０１０９】
また、文字確定部４５は、同一桁の文字が異なる認識可の文字の場合、異なる文字の内、任意の文字を同桁の確定文字として確定するものである。尚、記番号Ａの第８桁目の文字が“８”及び記番号Ｂの第８桁目の文字が“６”の場合、文字確定部４５は、後述する選択確定条件に基づき、記番号認識結果内の第８桁目の文字を確定文字“８”として確定するものである。【０１１０】
記番号認識結果取得部４７は、記番号Ａ及び記番号Ｂの文字認識結果から文字確定部４５にて全桁の文字を順次確定し、記番号認識結果を取得するものである。【０１１１】
また、記番号認識部３８Ａは、各文字認識結果の認識不可の文字数を夫々算出する認識不可文字数算出部４８と、この認識不可文字数算出部４８にて夫々算出した記番号Ａ及び記番号Ｂの認識不可の文字数を記憶する認識不可文字数メモリ部４９と、各記番号の優先順位を記憶する優先順位メモリ部５０とを有している。【０１１２】
認識不可文字数算出部４８は、図１２の例では、記番号Ａの文字認識結果では認識不可の文字数が２個、記番号Ｂの文字認識結果では認識不可の文字数が３個ということになる。【０１１３】
また、優先順位メモリ部５０では、紙幣上の同一内容の記番号毎に優先順位を設定し、例えば、記番号Ａの優先順位を上位、記番号Ｂの優先順位を下位に設定するものとする。尚、優先順位は、ユーザの指定操作に応じて設定するものである。【０１１４】
次に、文字確定部４５にて同一桁の文字が異なる認識可の文字の場合、同一桁の任意の文字を選択確定する選択確定条件について説明する。【０１１５】
文字確定部４５は、記番号照合部４４の照合結果に基づき、各文字認識結果の同一桁の文字が異なる認識可の文字の場合、認識不可文字数メモリ部４９に記憶中の認識不可文字数に基づき、認識不可文字数が最小の記番号側の文字認識結果内の同桁の文字を同桁の確定文字として確定するものである。つまり、記番号Ａの第８桁目の文字が“８”、記番号Ｂの第８桁目の文字が“６”の場合、文字確定部４５は、認識不可文字数メモリ部４９に記憶中の認識不可文字数に基づき、記番号Ａ側の文字認識結果の認識不可文字数が最小のため、記番号Ａ側の文字認識結果内の第８桁目の文字“８”を確定文字として確定するものである。【０１１６】
また、文字確定部４５は、記番号照合部４４の照合結果に基づき、各文字認識結果の同一桁の文字が異なる認識可の文字の場合、かつ、認識不可文字数メモリ部４９に記憶中の各文字認識結果の認識不可文字数が同数の場合、優先順位メモリ部５０に記憶中の優先順位が上位の記番号側の同桁の文字を同桁の確定文字として確定するものである。つまり、この場合、文字確定部４５では、優先順位メモリ部５０に記憶中の記番号Ａ側が上位のため、記番号Ａ側の文字認識結果内の同桁の文字を確定文字として確定するものである。【０１１７】
図６は、紙幣管理装置３側の管理側制御部３８に関わる記番号登録条件処理部３８Ｂ内部の概略構成を示すブロック図である。【０１１８】
図６に示す記番号登録条件処理部３８Ｂは、記番号認識部３８Ａから記番号認識結果を取得すると、記番号認識結果の照合必要特定桁が確定文字であるか否かを判定する特定桁判定部６１と、特定桁判定部６１にて記番号認識結果の照合必要特定桁が確定文字の場合、記番号認識結果内のエラー文字数が許容エラー文字数以内であるか否かを判定する許容エラー文字数判定部６２とを有している。【０１１９】
特定桁判定部６１は、記番号認識部３８Ａ内の記番号認識結果取得部４７から記番号認識結果を取得すると、特定桁指定部３２Ａにて指定した記番号認識結果内の照合必要特定桁の文字が確定文字であるか否かを判定するものである。尚、特定桁判定部６１は、例えば、記番号認識結果内の第１桁目及び第１０桁目を照合必要特定桁とし、例えば、第１桁目の文字が“１”及び第１０桁目の文字が“０”の場合、照合必要特定桁の文字が確定文字であると判定するものである。また、特定桁判定部６１は、例えば、記番号認識結果内の第１桁目の文字が“１”及び第１０桁目の文字が“？”の場合、照合必要特定桁の第１０桁目の文字が確定文字でないと判定するものである。【０１２０】
許容エラー文字数判定部６２は、特定桁判定部６１にて記番号認識結果内の照合必要特定桁の文字が確定文字の場合、記番号認識結果内のエラー文字数が許容エラー文字数指定部３２Ｂにて指定した許容エラー文字数以内であるか否かを判定するものである。【０１２１】
また、記番号登録条件処理部３８Ｂは、許容エラー文字数判定部６２にて記番号認識結果内のエラー文字数が許容エラー文字数以内の場合、記番号Ａ及び記番号Ｂの文字認識結果同士の合致比率が合致比率指定部３２Ｃにて指定した照合必要合致比率を超えたか否かを判定する合致比率判定部６３を有している。【０１２２】
尚、合致比率は、記番号Ａ及び記番号Ｂの文字認識結果同士の同一桁間で認識可の文字が合致する割合から算出するものである。例えば、記番号Ａの文字認識結果を“１２３４５６？８９０”、記番号Ｂの文字認識結果を“１？３？５６７６？０”とした場合、第１桁目、第３桁目、第５桁目、第６桁目、第１０桁目の５個（Ｘ個）を認識可の同一文字の桁数Ｘ、第２桁目、第４桁目、第７桁目及び第９桁目の４個（Ｙ個）を認識不可の文字を含む桁数Ｙ、第８桁目の１個（Ｚ個）を認識可の異なる文字の桁数Ｚとしてチェックし、これらチェック結果に基づき、Ｘ／（Ｘ＋Ｚ）で合致比率を算出するものである。【０１２３】
また、記番号登録条件処理部３８Ｂは、合致比率判定部６３にて合致比率が照合必要合致比率を超えた場合、記番号認識結果(又は入力記番号)が偽造紙幣リスト内の偽造紙幣の記番号に該当するか否かを判定する偽造紙幣リスト判定部６４を有している。【０１２４】
偽造紙幣リスト判定部６４は、記番号認識結果(又は入力記番号)が偽造紙幣リスト内の偽造紙幣の記番号に該当しない場合、その記番号認識結果(又は入力記番号)が全ての所定登録条件（第１〜第４登録条件）を満たしたものと判断し、この記番号認識結果(又は入力記番号)を紙幣詳細情報生成部３８Ｃに伝送するものである。【０１２５】
尚、記番号認識結果としては、全桁が確定文字の場合は勿論のこと、記番号認識結果内の照合必要特定桁が確定文字、かつ、記番号認識結果内のエラー文字数が許容エラー文字数以内、かつ文字認識結果同士の合致比率が照合必要合致比率を超えた、かつ、記番号認識結果が偽造紙幣リスト内の偽造紙幣の記番号に該当しない場合、所定登録条件を満たした記番号に相当し、エラー文字“？”を含む記番号認識結果をも含んでも良い。【０１２６】
紙幣詳細情報生成部３８Ｃは、紙幣の記番号認識結果(又は入力記番号)及び紙幣情報に基づき、紙幣詳細情報を生成し、ＤＢ制御部３８Ｅを通じて紙幣詳細情報をデータベース３３に登録するものである。【０１２７】
また、管理側制御部３８は、偽造紙幣リスト判定部６４にて紙幣の記番号認識結果が偽造紙幣リスト内の偽造紙幣の記番号に該当する場合、この紙幣に関わる紙幣詳細情報のデータベース３３への登録を禁止し、偽造紙幣の発見を表示部３１及び操作表示部１６に警告表示するものである。尚、ユーザは、その警告表示に基づき、偽造紙幣の発見を認識することができるものである。【０１２８】
また、記番号登録条件処理部３８Ｂは、特定桁判定部６１にて記番号認識結果内の照合必要特定桁が確定文字でない場合、又は許容エラー文字数指定部６２にて記番号認識結果内のエラー文字数が許容エラー文字数以内でない場合、又は合致比率判定部６３にて合致比率が照合必要合致比率を超えなかった場合、又は偽造紙幣リスト判定部６４にて記番号認識結果が偽造紙幣リスト内の偽造紙幣の記番号に該当する場合、記番号認識部３８Ａからの記番号認識結果を紙幣詳細情報生成部３８Ｃに伝送することなく、記番号の入力操作を要求する記番号入力要求部６５と、記番号の入力操作に応じて入力記番号を受け付ける記番号入力受付部６６とを有している。【０１２９】
記番号入力要求部６５は、記番号の入力操作要求に関わる記番号入力画面を表示部３１に画面表示するものである。  【０１３０】
図７は、紙幣管理装置３側の表示部３１に表示中の記番号入力画面を端的に示す説明図である。【０１３１】
図７に示す記番号入力画面８０では、ユーザの入力操作で紙幣管理番号(紙幣ＩＤ)に対応する、その紙幣の記番号を入力する記番号入力欄８１と、その紙幣の金種結果を入力する金種入力欄８２と、記番号入力欄８１に入力した紙幣の記番号を確定する確定ボタン８３等とを有している。【０１３２】
記番号入力受付部６６は、記番号入力画面８０上の記番号入力欄８１に入力した紙幣の記番号を受け付け、偽造紙幣リスト判定部６４にて同紙幣の入力記番号が偽造紙幣リスト内の偽造紙幣の記番号に該当するか否かを判定するものである。【０１３３】
尚、紙幣詳細情報生成部３８Ｃは、偽造紙幣リスト判定部６４にて入力記番号が偽造紙幣リスト内の記番号に該当しない場合、この入力記番号及び紙幣情報に基づき、紙幣詳細情報を生成するものである。【０１３４】
また、検索制御部３８Ｆは、データベース３３に登録中の紙幣詳細情報から記番号を検索対象とし、検索条件設定部３８Ｈにて設定した検索条件に基づき、その記番号に近似した記番号(又は記番号認識結果)に関わる紙幣詳細情報をデータベース３３から検索し、その検索結果を記番号検索画面として表示部３１に表示出力するものである。【０１３５】
図８は、紙幣管理装置３側の表示部３１に表示中の記番号検索画面を端的に示す説明図である。【０１３６】
図８に示す記番号検索画面９０では、検索結果の紙幣詳細情報として、例えば、紙幣に関わる記番号、金種結果、版数、正損結果、分類条件、取引ＩＤ及び紙幣画像の他に、取引情報として、取引ＩＤの内容として、取引開始日時、取引終了日時、ユーザＩＤ(銀行員ＩＤ)、顧客ＩＤ、窓口／ＡＴＭ番号及び店舗コードを一覧表示する一覧表示欄９１を有している。【０１３７】
また、記番号検索画面９０には、検索対象の記番号を入力する検索対象入力部３２Ｄの記番号入力欄９２と、データベース３３に登録中のエラー文字を含む記番号認識結果に関わる紙幣詳細情報を検索する検索条件を指定する検索条件指定部３２Ｅとして、第１検索条件の検索エラー文字数を指定入力する指定欄９３と、第２検索条件の近似桁数を指定入力する指定欄９４と、第３検索条件の検索必要特定桁を指定するチェックボックス指定欄９５と、検索開始の検索ボタン９６等とを有している。【０１３８】
尚、請求項記載の紙葉類管理装置は紙幣管理装置３、紙葉類は紙幣、識別情報は記番号、識別情報認識部は記番号認識部３８Ａ、登録条件判定部は記番号登録条件処理部３８Ｂ、特定桁判定部６１、許容エラー文字数判定部６２、合致比率判定部６３、偽造紙幣リスト判定部６４、記憶部はデータベース３３、登録制御部はＤＢ制御部３８Ｅ、特定桁指定部は特定桁指定部３２Ａ、不確定許容文字数指定部は許容エラー文字数指定部３２Ｂ、不確定許容文字数が許容エラー文字数、入力操作要求部は記番号入力要求部６５、検索対象入力部は検索対象入力部３２Ｄ、検索制御部は検索制御部３８Ｆ、文字認識部は記番号文字認識部４３、照合部は記番号照合部４４、文字確定部は文字確定部４５、識別情報認識取得部は記番号認識結果取得部４７、合致比率算出部は異番チェック処理部４６、許容合致比率指定部は合致比率指定部３２Ｃに相当するものである。【０１３９】
次に、本実施の形態を示す紙幣管理システム１の動作について説明する。図９は、紙幣管理装置３側の記番号登録条件設定処理に関わる管理側制御部３８内部の処理動作を示すフローチャートである。【０１４０】
図９に示す記番号登録条件設定処理では、紙幣の記番号をデータベース３３に登録する登録条件を自由に設定する処理である。【０１４１】
管理側制御部３８内部の記番号登録条件設定部３８Ｇは、記番号の登録条件を設定する記番号登録条件設定画面の開始操作を検出したか否かを判定する(ステップＳ１１)。【０１４２】
記番号登録条件設定部３８Ｇは、記番号登録条件設定画面の開始操作を検出した場合(ステップＳ１１肯定)、図４に示す記番号登録条件設定画面７０を表示部３１に表示する(ステップＳ１２)。【０１４３】
記番号登録条件設定部３８Ｇは、記番号桁数指定部３２Ｆを通じて、記番号の桁数を指定する指定操作を検出したか否かを判定する(ステップＳ１３)。尚、指定操作は、記番号桁数指定部３２Ｆを通じて記番号登録条件設定画面７０上の指定欄７１に入力するものである。【０１４４】
記番号登録条件設定部３８Ｇは、記番号の桁数を指定する指定操作を検出した場合(ステップＳ１３肯定)、記番号の桁数を記番号登録条件設定メモリ部３６に設定し(ステップＳ１４)、再度、記番号の桁数を指定する指定操作を検出したか否かを判定すべく、ステップＳ１３に移行する。尚、記番号登録条件設定部３８Ｇは、ステップＳ１４にて記番号の桁数を記番号登録条件設定メモリ部３６に設定すると、記番号登録条件設定画面７０上に記番号桁数に応じたチェックボックス指定欄７２を画面表示することになる。【０１４５】
記番号登録条件設定部３８Ｇは、記番号の桁数を指定する指定操作を検出しなかった場合(ステップＳ１３否定)、許容エラー文字数指定部３２Ｂを通じて、許容エラー文字数を指定する指定操作を検出したか否かを判定する(ステップＳ１５)。尚、指定操作は、許容エラー文字数指定部３２Ｂを通じて記番号登録条件設定画面７０上の指定欄７３に入力するものである。【０１４６】
記番号登録条件設定部３８Ｇは、許容エラー文字数を指定する指定操作を検出した場合(ステップＳ１５肯定)、許容エラー文字数を記番号登録条件設定メモリ部３６に設定し(ステップＳ１６)、再度、記番号の桁数を指定する指定操作を検出したか否かを判定すべく、ステップＳ１３に移行する。【０１４７】
記番号登録条件設定部３８Ｇは、許容エラー文字数を指定する指定操作を検出しなかった場合(ステップＳ１５否定)、特定桁指定部３２Ａを通じて記番号の照合必要特定桁を指定する指定操作を検出したか否かを判定する(ステップＳ１７)。尚、指定操作は、特定桁指定部３２Ａを通じて記番号登録条件設定画面７０上のチェックボックス指定欄７２にチェック入力するものである。【０１４８】
記番号登録条件設定部３８Ｇは、記番号の照合必要特定桁を指定する指定操作を検出した場合(ステップＳ１７肯定)、記番号の照合必要特定桁を記番号登録条件設定メモリ部３６に設定し(ステップＳ１８)、再度、記番号の桁数を指定する指定操作を検出したか否かを判定すべく、ステップＳ１３に移行する。【０１４９】
記番号登録条件設定部３８Ｇは、記番号の特定桁を指定する指定操作を検出しなかった場合(ステップＳ１７否定)、合致比率指定部３２Ｃを通じて記番号の照合必要合致比率を指定する指定操作を検出したか否かを判定する(ステップＳ１９)。尚、指定操作は、合致比率指定部３２Ｃを通じて記番号登録条件設定画面７０上の指定欄７４に入力するものである。【０１５０】
記番号登録条件設定部３８Ｇは、記番号の照合必要合致比率を指定する指定操作を検出した場合(ステップＳ１９肯定)、記番号の照合必要合致比率を記番号登録条件設定メモリ部３６に設定し(ステップＳ２０)、再度、記番号の桁数を指定する指定操作を検出したか否かを判定すべく、ステップＳ１３に移行する。【０１５１】
記番号登録条件設定部３８Ｇは、記番号の照合必要合致比率を指定する指定操作を検出しなかった場合(ステップＳ１９否定)、記番号登録条件設定画面７０上の終了ボタン７５を通じて、記番号登録条件の設定を終了する終了操作を検出したか否かを判定する(ステップＳ２１)。【０１５２】
記番号登録条件設定部３８Ｇは、終了操作を検出した場合(ステップＳ２１肯定)、図９に示す処理動作を終了する。【０１５３】
また、記番号登録条件設定部３８Ｇは、終了操作を検出しなかった場合(ステップＳ２１否定)、再度、記番号の桁数を指定する指定操作を検出したか否かを判定すべく、ステップＳ１３に移行する。【０１５４】
また、記番号登録条件設定部３８Ｇは、記番号登録条件設定の開始操作を検出しなかった場合(ステップＳ１１否定)、図９に示す処理動作を終了する。【０１５５】
図９に示す記番号登録条件設定処理では、記番号桁数指定部３２Ｆの指定操作に応じて記番号の桁数を自由に設定するようにしたので、記番号の桁数が異なる紙幣に対しても十分に対応することができる。【０１５６】
また、記番号登録条件設定処理では、許容エラー文字数指定部３２Ｂの指定操作に応じて記番号認識結果内の許容エラー文字数を自由に設定するようにしたので、記番号認識結果内で許容できるエラー文字数を登録条件とした登録条件範囲を自由に設定することができる。【０１５７】
また、記番号登録条件設定処理では、特定桁指定部３２Ａの指定操作に応じて記番号認識結果内の照合必要特定桁を自由に設定するようにしたので、紙幣種別毎に異なる記番号の桁の重要度に応じて照合必要特定桁を条件とした登録条件範囲を自由に設定することができる。【０１５８】
また、記番号登録条件設定処理では、合致比率指定部３２Ｃの指定操作に応じて記番号の文字認識結果間の照合必要合致比率を自由に設定するようにしたので、記番号の文字認識結果同士で許容できる合致比率を条件とした登録条件範囲を自由に設定することができる。【０１５９】
図１０及び図１１は、紙幣管理装置３側の記番号認識処理に関わる管理側制御部３８内部の処理動作を示すフローチャートである。【０１６０】
図１０及び図１１に示す記番号認識処理では、紙幣上の複数の記番号を文字認識し、各記番号の文字認識結果を照合し、その照合結果に基づき、記番号認識結果を取得する処理である。【０１６１】
図１０において管理側制御部３８内の記番号認識部３８Ａの紙幣情報受信部４１は、紙幣処理装置２から紙幣情報を受信したか否かを判定する(ステップＳ３１)。【０１６２】
記番号認識部３８Ａ内の記番号領域抽出部４２は、紙幣情報を受信した場合(ステップＳ３１肯定)、紙幣情報内の紙幣画像から各記番号の記番号領域を抽出する(ステップＳ３２)。尚、記番号領域抽出部４２は、例えば、紙幣上に同一内容の記番号Ａ及び記番号Ｂがある場合、記番号Ａの記番号領域及び記番号Ｂの記番号領域を抽出するものである。【０１６３】
記番号認識部３８Ａ内の記番号文字認識部４３は、各記番号の記番号領域を抽出すると、抽出した記番号領域から記番号を文字認識し(ステップＳ３３)、全ての記番号に対する文字認識が終了したか否かを判定する(ステップＳ３４)。【０１６４】
記番号認識部３８Ａ内の記番号照合部４４は、全ての記番号に対する文字認識が終了した場合(ステップＳ３４肯定)、各記番号の文字認識結果同士を照合し(ステップＳ３５)、記番号の文字認識結果同士の桁単位の比較照合を開始すべく、図１１に示すＭ１に移行する。尚、記番号文字認識部４３は、全ての記番号に対する文字認識が終了した場合、図１２に示す例では、記番号Ａの文字認識結果として“１２３？５６７？９０”、記番号Ｂの文字認識結果として“１？３？５６７６？０”を取得することになる。【０１６５】
また、紙幣情報受信部４１は、紙幣情報を受信しなかった場合(ステップＳ３１否定)、図１０に示す処理動作を終了する。【０１６６】
また、記番号領域抽出部４２は、全ての記番号に対する文字認識が終了しなかった場合(ステップＳ３４否定)、次の記番号の記番号領域を抽出し(ステップＳ３６)、同記番号を文字認識すべく、ステップＳ３３に移行する。その結果、記番号照合部４４では、記番号文字認識部４３にて取得した記番号Ａの文字認識結果及び記番号Ｂの文字認識結果同士を比較照合することになる。【０１６７】
図１１に示すＭ１において記番号認識部３８Ａ内の記番号照合部４４は、文字認識結果同士の照合桁を指定する(ステップＳ４１)。尚、照合桁とは、例えば、記番号Ａ及び記番号Ｂの文字認識結果同士を照合する照合対象の桁に相当するものである。照合桁は、例えば、第１桁、第２桁…の順で指定するものとする。【０１６８】
記番号認識部３８Ａ内の文字確定部４５は、各記番号の文字認識結果同士の照合桁の文字が同一文字か否かを判定する(ステップＳ４２)。【０１６９】
文字確定部４５は、文字認識結果同士の照合桁の文字が同一文字の場合(ステップＳ４２肯定)、同文字は認識不可の文字であるか否かを判定する(ステップＳ４３)。【０１７０】
文字確定部４５は、同文字が認識不可の文字でない場合(ステップＳ４３否定)、すなわち、同文字が認識可の文字と判断し、この認識可の文字を照合桁の確定文字として確定し(ステップＳ４４)、文字認識結果内の全桁の文字が確定したか否かを判定する(ステップＳ４５)。尚、例えば、文字認識結果が１０桁の場合、全１０桁の文字が確定したか否かを判定するものである。【０１７１】
記番号照合部４４は、文字認識結果内の全桁の文字が確定しなかった場合（ステップＳ４５否定）、文字認識結果の内、未照合の次の照合桁を指定し(ステップＳ４６)、照合桁の文字が同一文字であるか否かを判定すべく、ステップＳ４２に移行する。【０１７２】
また、文字確定部４５は、ステップＳ４３にて同文字が認識不可の文字の場合(ステップＳ４３肯定)、その認識不可の文字を照合桁のエラー文字として確定し(ステップＳ４７)、文字認識結果内の全桁の文字を確定したか否かを判定すべく、ステップＳ４５に移行する。【０１７３】
また、記番号照合部４４は、ステップＳ４２にて照合桁の文字が同一文字でない場合（ステップＳ４２否定)、文字認識結果同士の照合桁の文字が異なる文字か否かを判定する(ステップＳ４８)。【０１７４】
文字確定部４５は、文字認識結果同士の照合桁の文字が異なる文字の場合(ステップＳ４８肯定)、これら異なる文字は認識不可の文字を含むか否かを判定する(ステップＳ４９)。【０１７５】
文字確定部４５は、これら異なる文字は認識不可の文字を含まない場合(ステップＳ４９否定)、これら異なる文字は認識可の文字と判断し、認識不可文字数メモリ部４９に記憶中の各記番号の文字認識結果の認識不可文字数の内、最小の認識不可文字数の文字認識結果が複数あるか否かを判定する(ステップＳ５０)。【０１７６】
文字確定部４５は、最小の認識不可文字数の文字認識結果が複数ある場合(ステップＳ５０肯定)、最小の認識不可文字数の文字認識結果の内、優先順位メモリ部５０に記憶中の上位の記番号の文字認識結果側の同桁の文字を照合桁の確定文字として確定し(ステップＳ５１)、文字認識結果内の全桁の文字を確定したか否かを判定すべく、ステップＳ４５に移行する。【０１７７】
尚、文字確定部４５は、例えば、記番号Ａ及び記番号Ｂの文字認識結果の最小の認識不可文字数が同数、記番号Ａの優先順位が記番号Ｂよりも上位、記番号Ａの文字認識結果の第８桁目が“８”、記番号Ｂの文字認識結果の第８桁目が“６”の場合、記番号Ａの文字認識結果内の第８桁目の“８”を同桁の確定文字として確定するものである。【０１７８】
また、文字確定部４５は、ステップＳ５０にて最小の認識不可文字数の文字認識結果が複数ない場合(ステップＳ５０否定)、最小の認識不可文字数の文字認識結果側の同桁の文字を照合桁の確定文字として確定し(ステップＳ５２)、文字認識結果の全桁の文字を確定したか否かを判定すべく、ステップＳ４５に移行する。【０１７９】
尚、文字確定部４５は、図１２に示す例では、記番号Ａの文字認識結果内の認識不可文字数が２個、記番号Ｂの文字認識結果内の認識不可文字数が３個、記番号Ａの文字認識結果の第８桁目が“８”、記番号Ｂの文字認識結果の第８桁目が“６”の場合、記番号Ａの文字認識結果内の第８桁目の“８”を同桁の確定文字として確定するものである。【０１８０】
また、文字確定部４５は、ステップＳ４９にて、これら異なる文字は認識不可の文字を含む場合(ステップＳ４９肯定)、これら異なる文字の内、認識不可の文字を除く、認識可の文字が複数あるか否かを判定する(ステップＳ５３)。【０１８１】
文字確定部４５は、照合桁において認識可の文字が複数ある場合(ステップＳ５３肯定)、認識不可の文字数が最小の文字認識結果が複数あるか否かを判定すべく、ステップＳ５０に移行する。【０１８２】
また、文字確定部４５は、照合桁において認識可の文字が複数ない場合(ステップＳ５３否定)、その文字を照合桁の確定文字として確定し(ステップＳ５４)、文字認識結果内の全桁の文字を確定したか否かを判定すべく、ステップＳ４５に移行する。【０１８３】
また、記番号認識部３８Ａ内の異番チェック処理部４６は、ステップＳ４５にて文字認識結果内の全桁の文字を確定した場合(ステップＳ４５肯定)、各記番号の文字認識結果同士の異番チェック処理を実行する(ステップＳ５５)。【０１８４】
尚、異番チェック処理は、例えば、図１２に示すように、記番号Ａの文字認識結果“１２３？５６？８９０”及び記番号Ｂの文字認識結果“１？３？５６７６？０”を桁単位で照合し、第１桁目、第３桁目、第５桁目、第６桁目及び第１０桁目の同桁の文字が同一の認識可の文字の桁数Ｘ、第２桁目、第４桁目、第７桁目及び第９桁目の同桁の文字に認識不可の文字を含む桁数Ｙ、及び、第８桁目の同桁の文字が認識可の異なる文字の桁数Ｚをチェックする。【０１８５】
異番チェック処理部４６は、認識可の同一文字の桁数Ｘ及び、認識可の異なる文字の桁数Ｚに基づき、Ｘ／（Ｘ＋Ｚ）の数式で記番号Ａ及び記番号Ｂの文字認識結果同士の合致比率を算出するものである。【０１８６】
記番号認識結果取得部４７は、ステップＳ５５にて異番チェック処理が完了すると、ステップＳ４５にて確定した文字認識結果内の全桁の文字に基づき記番号認識結果を取得し(ステップＳ５６)、図１１に示す処理動作を終了する。【０１８７】
図１０及び図１１に示す記番号認識処理では、紙幣内に同一内容の記番号が複数ある場合、これら記番号の文字認識結果同士を照合し、文字認識結果同士の同一桁の文字が認識可の同一文字の場合、その文字を同桁の確定文字として確定すると共に、文字認識結果同士の同一桁の文字が認識可の異なる文字の場合、これら異なる文字の内、任意の文字を同桁の確定文字として確定すると共に、文字認識結果同士の同一桁の文字が認識不可の文字の場合、同桁の文字をエラー文字“？”として確定し、文字認識結果内の全桁の文字を確定すると、確定文字及び／又はエラー文字“？”を含む記番号認識結果を取得するようにしたので、複数の文字認識結果同士の照合結果に基づき、記番号認識結果内の全桁の文字を確定することができる。【０１８８】
また、記番号認識処理では、文字認識結果同士の同一桁の文字が認識可の異なる文字の場合、これら異なる文字の内、任意の文字を同桁の確定文字として確定する際、複数の文字認識結果の内、認識不可の文字数が最小の文字認識結果に関わる同桁の文字を同桁の確定文字として確定するようにしたので、記番号認識結果内の各桁の文字を容易に確定することができる。【０１８９】
また、記番号認識処理では、これら異なる文字の内、任意の文字を同桁の確定文字として確定する際、複数の文字認識結果の内、認識不可の文字数が最小の文字認識結果が複数ある場合、これら複数の文字認識結果の内、優先順位メモリ部５０に記憶中の優先順位の高い方の文字認識結果に関わる同桁の文字を同桁の確定文字として確定するようにしたので、記番号認識結果内の各桁の文字を容易に確定することができる。【０１９０】
図１３は、紙幣管理装置３側の紙幣詳細情報登録処理に関わる管理側制御部３８内部の処理動作を示すフローチャートである。【０１９１】
図１３に示す紙幣詳細情報登録処理とは、記番号認識部３８Ａの記番号認識結果が所定登録条件を満たした場合、記番号認識結果に関わる紙幣詳細情報をデータベース３３に登録すると共に、記番号認識部３８Ａの記番号認識結果が所定登録条件を満たさなかった場合、入力操作の入力記番号に関わる紙幣詳細情報をデータベース３３に登録する処理である。【０１９２】
図１３に示す管理側制御部３８の記番号登録条件処理部３８Ｂ内部の特定桁判定部６１は、記番号認識部３８Ａにて記番号認識結果を取得すると(ステップＳ６１肯定)、記番号認識結果の照合必要特定桁の文字が確定文字であるか否かを判定する(ステップＳ６２)。【０１９３】
記番号登録条件処理部３８Ｂ内の記番号入力要求部６５は、記番号認識結果の照合必要特定桁の文字が確定文字でない場合(ステップＳ６２否定)、記番号の入力操作を要求する記番号入力画面８０(図７参照)を表示部３１に画面表示する(ステップＳ６３)。【０１９４】
記番号登録条件処理部３８Ｂ内の記番号受付部６６は、記番号入力画面８０上の記番号入力欄８１上に記番号を入力する入力操作を検出したか否かを判定する(ステップＳ６４)。【０１９５】
記番号登録条件処理部３８Ｂ内の偽造紙幣リスト判定部６４は、記番号の入力操作を検出した場合(ステップＳ６４肯定)、入力記番号（又は記番号認識結果）が偽造紙幣リスト内の記番号に該当するか否かを判定する(ステップＳ６５)。【０１９６】
偽造紙幣リスト判定部６４は、入力記番号（又は記番号認識結果）が偽造紙幣リスト内の記番号に該当する場合(ステップＳ６５肯定)、その入力記番号(又は記番号認識結果)の紙幣を偽造紙幣と判断し、その紙幣が偽造紙幣である旨の警告を表示部３１及び操作表示部１６に画面表示し（ステップＳ６６）、図１３に示す処理動作を終了する。【０１９７】
その結果、ユーザは、表示部３１及び操作表示部１６の警告表示に基づき、偽造紙幣の発生を認識することができる。【０１９８】
また、管理側制御部３８内の紙幣詳細情報生成部３８Ｃは、偽造紙幣リスト判定部６４にて入力記番号(又は記番号認識結果)が偽造紙幣リスト内の記番号に該当しない場合(ステップＳ６５否定)、その紙幣の入力記番号(又は記番号認識結果)及び紙幣情報に基づき、紙幣詳細情報を生成する(ステップＳ６７)。【０１９９】
管理側制御部３８内のＤＢ制御部３８Ｅは、紙幣詳細情報生成部３８Ｃにて紙幣詳細情報を生成すると、この紙幣詳細情報をデータベース３３に登録し(ステップＳ６８)、図１３に示す処理動作を終了する。【０２００】
また、記番号登録条件処理部３８Ｂは、ステップＳ６１にて記番号認識結果を取得したのでない場合(ステップＳ６１否定)、図１３に示す処理動作を終了する。【０２０１】
また、記番号登録条件処理部３８Ｂ内の許容エラー文字数判定部６２は、ステップＳ６２にて記番号認識結果内の照合必要特定桁の文字が確定文字の場合(ステップＳ６２肯定)、記番号認識結果内のエラー文字数が許容エラー文字数以内であるか否かを判定する(ステップＳ６９)。【０２０２】
記番号入力要求部６５は、記番号認識結果内のエラー文字数が許容エラー文字数以内でない場合(ステップＳ６９否定)、記番号の入力操作を要求すべく、ステップＳ６３に移行する。【０２０３】
また、記番号登録条件処理部３８内の合致比率判定部６３は、ステップＳ６９にて記番号認識結果内のエラー文字数が許容エラー文字数以内の場合(ステップＳ６９肯定)、各記番号の文字認識結果同士の合致比率が照合必要合致比率を超えたか否かを判定する(ステップＳ７０)。【０２０４】
偽造紙幣リスト判定部６４は、合致比率が照合必要合致比率を超えた場合(ステップＳ７０肯定)、記番号認識結果の認識信頼性は高いものと判断し、その記番号認識結果が偽造紙幣リスト内の記番号に該当するか否かを判定すべく、ステップＳ６５に移行する。【０２０５】
また、記番号入力要求部６５は、ステップＳ７０にて各記番号の文字認識結果同士の合致比率が照合必要合致比率を超えなかった場合(ステップＳ７０否定)、記番号認識結果の認識信頼性は低いものと判断し、記番号の入力操作を要求すべく、ステップＳ６３に移行する。【０２０６】
図１３に示す紙幣詳細情報登録処理では、記番号認識部３８Ａにて記番号認識結果を取得すると、記番号認識結果の照合必要特定桁の文字が確定文字、記番号認識結果内のエラー文字数が許容エラー文字数以内、各記番号の文字認識結果の合致比率が照合必要合致比率を超えた場合、かつ、記番号認識結果が偽造紙幣リスト内の記番号に該当しない場合、その記番号認識結果が所定登録条件を満たしたものと判断し、その記番号認識結果及び紙幣情報に基づき紙幣詳細情報を生成し、生成した紙幣詳細情報をデータベース３３に登録する。その結果、所定登録条件を満たした場合、エラー文字“？”を含む記番号認識結果であっても、特定可能な記番号と判断し、その記番号認識結果をデータベース３３に登録することができるため、記番号入力によるユーザ側の操作負担を大幅に軽減することができる。【０２０７】
また、紙幣詳細情報登録処理では、記番号認識部３８Ａにて記番号認識結果を取得すると、記番号認識結果の照合必要特定桁の文字がエラー文字“？”、又は記番号認識結果のエラー文字数が許容エラー文字数を超えた場合、又は、各記番号の文字認識結果の合致比率が照合必要合致比率を超えなかった場合、その記番号認識結果が所定登録条件を満たさなかったものと判断し、その記番号の入力操作を要求する。その結果、所定登録条件を満たさなかった場合、その記番号認識結果を特定不可能な記番号と判断し、その記番号の入力操作を要求することで、特定不可能な記番号をそのままデータベース３３に登録するような不要な記番号のデータベース３３への登録を回避することができる。【０２０８】
図１４は、紙幣管理装置３側の紙幣詳細情報検索処理に関わる管理側制御部３８内部の処理動作を示すフローチャートである。【０２０９】
図１４に示す紙幣詳細情報検索処理は、データベース３３に登録中のエラー文字を含む記番号の紙幣詳細情報から検索対象の記番号に近似した記番号認識結果の紙幣詳細情報を検索する処理である。【０２１０】
図１４において管理側制御部３８は、図８に示す記番号検索画面９０の開始操作を検出したか否かを判定する(ステップＳ８１)。【０２１１】
管理側制御部３８は、記番号検索画面９０の開始操作を検出した場合(ステップＳ８１肯定)、記番号検索画面９０を表示部３１に画面表示する(ステップＳ８２)。【０２１２】
管理側制御部３８内の検索条件設定部３８Ｈは、検索対象入力部３２Ｄを通じて検索対象の記番号の入力操作を検出したか否かを判定する(ステップＳ８３)。尚、入力操作は、検索対象入力部３２Ｄを通じて記番号検索画面９０上の記番号入力欄９２に入力するものである。【０２１３】
検索条件設定部３８Ｈは、検索対象の記番号の入力操作を検出した場合(ステップＳ８３肯定)、検索条件指定部３２Ｅを通じて、データベース３３に登録中の紙幣詳細情報内の記番号の検索エラー文字数を検索条件として指定する指定操作を検出したか否かを判定する(ステップＳ８４)。尚、指定操作は、検索条件指定部３２Ｅを通じて記番号検索画面９０上の指定欄９３に指定入力するものである。【０２１４】
検索条件設定部３８Ｈは、検索エラー文字数を検索条件として指定する指定操作を検出した場合(ステップＳ８４肯定)、検索条件として検索エラー文字数を検索条件設定メモリ部３７に設定し(ステップＳ８５)、検索対象の記番号の入力操作を検出したか否かを判定すべく、ステップＳ８３に移行する。【０２１５】
検索条件設定部３８Ｈは、検索エラー文字数を検索条件として指定する指定操作を検出しなかった場合(ステップＳ８４否定)、検索条件指定部３２Ｅを通じて、データベース３３に登録中の紙幣詳細情報内の記番号の近似検索桁数を検索条件として指定する指定操作を検出したか否かを判定する(ステップＳ８６)。尚、指定操作は、検索条件指定部３２Ｅを通じて記番号検索画面９０上の指定欄９４に指定入力するものである。【０２１６】
検索条件設定部３８Ｈは、近似検索桁数を検索条件として指定する指定操作を検出した場合(ステップＳ８６肯定)、検索条件として近似検索桁数を検索条件設定メモリ部３７に設定し(ステップＳ８７)、検索対象の記番号の入力操作を検出したか否かを判定すべく、ステップＳ８３に移行する。【０２１７】
検索条件設定部３８Ｈは、近似検索桁数を検索条件として指定する指定操作を検出しなかった場合(ステップＳ８６否定)、検索条件指定部３２Ｅを通じて、データベース３３に登録中の紙幣詳細情報内の記番号の検索必要特定桁を検索条件として指定する指定操作を検出したか否かを判定する(ステップＳ８８)。尚、指定操作は、検索条件指定部３２Ｅを通じて記番号検索画面９０上のチェックボックス指定欄９５をチェック入力するものである。また、この検索条件は、検索必要特定桁が確定文字の記番号に関わる紙幣詳細情報のみを検索条件とするものである。【０２１８】
また、検索条件設定部３８Ｈは、記番号の検索必要特定桁を検索条件として指定する指定操作を検出した場合(ステップＳ８８肯定)、検索条件として検索必要特定桁を検索条件設定メモリ部３７に設定し(ステップＳ８９)、検索対象の記番号の入力操作を検出したか否かを判定すべく、ステップＳ８３に移行する。【０２１９】
また、管理側制御部３８内の検索制御部３８Ｆは、記番号の検索必要特定桁を検索条件として指定する指定操作を検出しなかった場合(ステップＳ８８否定)、検索開始操作を検出したか否かを判定する(ステップＳ９０)。【０２２０】
また、検索制御部３８Ｆは、検索開始操作を検出しなかった場合(ステップＳ９０否定)、検索終了操作を検出したか否かを判定する(ステップＳ９１)。【０２２１】
検索制御部３８Ｆは、検索終了操作を検出した場合(ステップＳ９１肯定)、図１４に示す処理動作を終了する。また、検索制御部３８Ｆは、検索終了操作を検出しなかった場合(ステップＳ９１否定)、検索対象の記番号の入力操作を検出したか否かを判定すべく、ステップＳ８３に移行する。【０２２２】
また、検索制御部８３Ｆは、検索開始操作を検出した場合（ステップＳ９０肯定）、検索条件設定メモリ部３７に設定中の検索条件に基づき、ステップＳ８３にて入力した検索対象の記番号に近似する記番号(記番号認識結果又は入力記番号)の紙幣詳細情報をデータベース３３から検索し(ステップＳ９２)、その検索結果である紙幣詳細情報の一覧を表示部３１に画面表示し(ステップＳ９３)、検索終了操作を検出したか否かを判定すべく、ステップＳ９１に移行する。【０２２３】
また、検索条件設定部３８Ｈは、検索対象の記番号の入力操作を検出しなかった場合(ステップＳ８３否定)、検索対象の記番号の入力操作を検出したか否かを判定すべく、ステップＳ８３に移行する。【０２２４】
図１４に示す紙幣詳細情報登録処理では、検索条件設定メモリ部３７に設定中の検索条件に基づき、データベース３３に登録中の確定文字及び／又はエラー文字を含む記番号認識結果に関わる紙幣詳細情報から検索対象入力部にて入力した検索対象の記番号に近似する識別情報認識結果に関わる紙幣詳細情報を検索するようにしたので、不確定文字を含む記番号認識結果に関わる紙幣詳細情報の中から検索対象の記番号に近似する記番号認識結果の紙幣詳細情報を簡単に検索することができる。【０２２５】
本実施の形態では、記番号認識結果内の確定文字又はエラー文字“？”に基づき、記番号認識結果が所定登録条件を満たした、例えば、記番号認識結果内のエラー文字の有無に関係なく、その記番号認識結果が特定可能な場合、その記番号認識結果をデータベース３３に登録すると共に、記番号認識結果が所定登録条件を満たさなかった、例えば、記番号認識結果が特定不可能な場合、その記番号認識結果のデータベース３３への登録を禁止するようにした。その結果、本実施の形態では、特定不可能な記番号認識結果のままでのデータベース３３への無駄な登録を回避すると共に、エラー文字“？”を含む記番号認識結果であっても、特定可能な記番号認識結果の場合には、入力操作を要することなく、その記番号認識結果をデータベース３３へ登録することで、記番号入力に要するユーザ側の操作負担を大幅に軽減することができる。【０２２６】
また、本実施の形態では、記番号認識結果内の照合必要特定桁の文字が確定文字の場合、その記番号認識結果を特定可能と判断し、その記番号認識結果をデータベース３３に登録すると共に、照合必要特定桁の文字がエラー文字の場合、その記番号認識結果を特定不可能と判断し、その記番号認識結果のデータベース３３への登録を禁止するようにした。その結果、本実施の形態では、記番号認識結果がエラー文字を含む場合でも、照合必要特定桁の条件を満たした場合には、入力操作を要することなく、その記番号認識結果をデータベース３３へ登録することで、記番号入力に要するユーザ側の操作負担を大幅に軽減することができる。【０２２７】
また、本実施の形態では、特定桁指定部３２Ａを使用して記番号認識結果の識別に必要な文字、例えば、紙幣の造幣局を表す文字や、チェックディジットに使用する文字を記載した桁を照合必要特定桁として自由にユーザ側で指定できるようにしたので、識別に必要な文字を記載した桁が異なる様々な紙幣に十分に対応することができると共に、照合必要特定桁を条件とした登録条件範囲を自由に設定することができる。【０２２８】
また、本実施の形態では、記番号認識結果内のエラー文字数が許容エラー文字数以内の場合、その記番号認識結果を特定可能と判断し、その記番号認識結果をデータベース３３に登録すると共に、記番号認識結果内のエラー文字数が許容エラー文字数を超えた場合、その記番号認識結果を特定不可能と判断し、その記番号認識結果のデータベース３３への登録を禁止するようにした。その結果、本実施の形態では、記番号認識結果がエラー文字を含む場合でも、許容エラー文字数の条件を満たした場合には、入力操作を要することなく、その記番号認識結果をデータベース３３に登録することで、記番号入力に要するユーザ側の操作負担を大幅に軽減することができる。【０２２９】
また、本実施の形態では、許容エラー文字数指定部３２Ｂを使用して記番号認識結果を識別するのに許容できるエラー文字数をユーザ側で自由に指定できるようにしたので、桁数の異なる様々な紙幣にも十分対応することができると共に、そのエラー文字のエラー文字数を条件とした登録条件範囲を自由に設定することができる。【０２３０】
また、本実施の形態では、記番号認識結果内の照合必要特定桁の文字が確定文字の場合、かつ、記番号認識結果内のエラー文字数が許容エラー文字数以内の場合、記番号認識結果が所定登録条件を満たしたものと判断すると共に、記番号認識結果内の照合必要特定桁の文字がエラー文字の場合、又は、記番号認識結果内の照合必要特定桁の文字が確定文字の場合、かつ、記番号認識結果内のエラー文字数が許容エラー文字数を超えた場合、記番号認識結果が所定登録条件を満たさなかったものと判断するようにした。その結果、本実施の形態では、記番号認識結果がエラー文字を含む場合でも、照合必要特定桁及び許容エラー文字数の条件を満たした場合には、入力操作を要することなく、その記番号認識結果をデータベース３３に登録することで、記番号入力に要するユーザ側の操作負担を大幅に軽減することができる。【０２３１】
また、本実施の形態では、記番号認識結果が所定登録条件を満たさなかった場合、この記番号認識結果に関わる入力操作を要求し、記番号認識結果に関わる入力操作を検出すると、この入力操作に関わる記番号認識結果をデータベース３３に登録するようにした。その結果、実施の形態では、記番号認識結果が所定登録条件を満たさなかった場合にのみ、記番号認識結果の入力操作を要求することになるため、記番号入力に要するユーザ側の操作負担を大幅に軽減することができる。【０２３２】
また、本実施の形態では、データベース３３に登録中の確定文字及び／又はエラー文字を含む記番号認識結果に関わる紙幣詳細情報から検索対象入力部３２Ｄにて入力した検索対象の記番号に近似する記番号認識結果に関わる紙幣詳細情報を検索するようにしたので、エラー文字を含む記番号認識結果であっても検索対象の記番号に近似する記番号認識結果に関わる紙幣詳細情報を容易に検索することができる。【０２３３】
また、本実施の形態では、紙幣内に同一内容の記番号が複数ある場合、これら記番号の文字認識結果同士を照合し、文字認識結果同士の同一桁の文字が全て認識可の同一文字の場合、その文字を同桁の確定文字として確定すると共に、文字認識結果同士の同一桁の文字が少なくとも一つの認識可の文字を含む異なる文字の場合、これら異なる文字の内、任意の文字を同桁の確定文字として確定すると共に、文字認識結果同士の同一桁の文字が全て認識不可の文字の場合、同桁の文字をエラー文字として確定し、文字認識結果内の全桁の文字を確定すると、確定文字及び／又はエラー文字を含む記番号認識結果を取得するようにしたので、複数の文字認識結果同士の照合結果に基づき、記番号認識結果内の全桁の文字を確定することができる。【０２３４】
また、本実施の形態では、文字認識結果同士の同一桁の文字が少なくとも一つの認識可の文字を含む異なる文字の場合、これら異なる文字の内、任意の文字を同桁の確定文字として確定する際、複数の文字認識結果の内、認識不可の文字数が最小の文字認識結果に関わる同桁の文字を同桁の確定文字として確定するようにしたので、記番号認識結果内の各桁の文字を容易に確定することができる。【０２３５】
また、本実施の形態では、文字認識結果同士の同一桁の文字が少なくとも一つの認識可の文字を含む異なる文字の場合、これら異なる文字の内、任意の文字を同桁の確定文字として確定する際、複数の文字認識結果の内、優先順位メモリ部５０に記憶中の優先順位の高い方の文字認識結果に関わる同桁の文字を同桁の確定文字として確定するようにしたので、記番号認識結果内の各桁の文字を容易に確定することができる。【０２３６】
また、本実施の形態では、異番チェック処理部４６にて算出した合致比率が合致比率指定部３２Ｃにて指定した照合必要合致比率を超えなかった場合、記番号認識結果が所定登録条件を満たさなかったものと判断するようにした。その結果、本実施の形態では、合致比率が照合必要合致比率を超えなかった場合、文字認識結果同士の同一桁間で認識可の文字が合致する合致比率が低く、その記番号認識結果の認識信頼性が低いものと判断し、その記番号認識結果のデータベース３３への登録を禁止するようにしたので、記番号認識結果の誤認識による不具合を回避することができる。【０２３７】
また、本実施の形態では、例えば、何れかの顧客が金融機関に来店して、「この紙幣が当該金融機関のＡＴＭから出金された偽造紙幣である」旨を指摘された場合でも、その紙幣の記番号を検索対象として、データベース３３に登録中の紙幣詳細情報を検索し、その検索結果を表示部３１に画面表示する。その結果、本実施の形態では、該当する記番号が登録済みの場合には顧客の指摘を認め、該当する記番号が登録されていない場合には顧客に対して「この紙幣は、当該金融機関のＡＴＭから出金されたものではない」旨を主張することができる。【０２３８】
また、本実施の形態では、例えば、金融機関で紙幣損券を上位銀行に出金する際に損券の紙幣詳細情報をデータベース３３に登録しておくことで、上位銀行から出金した紙幣が偽造紙幣である旨を指摘された場合でも、その紙幣の記番号を検索対象として、データベース３３に登録中の紙幣詳細情報を検索し、その検索結果を表示部３１に画面表示する。その結果、本実施の形態では、該当する記番号が登録済みの場合には上位銀行の指摘を認め、該当する記番号が登録されていない場合には上位銀行に対して「その紙幣は、当該金融機関から出金されたものではない」旨を主張することができる。【０２３９】
尚、本実施の形態では、紙幣上に同一内容の記番号が複数、例えば２個ある場合を例に挙げて説明したが、紙幣上に記番号が１個しかない場合であっても同様の効果を得ることができる。この場合、記番号認識部３８Ａは、記番号文字認識部４３を通じて記番号を文字認識し、認識可の文字及び／又は認識不可の文字を含む文字認識結果を取得し、文字確定部４５及び記番号認識結果取得部４７を経て、取得した文字認識結果の各桁を記番号認識結果として取得する。尚、記番号認識部３８Ａでは、記番号が１個しかない場合、記番号照合部４４、異番チェック処理部４６、認識不可文字数算出部４８、認識不可文字数メモリ部４９及び優先順位メモリ部５０を使用しなくても、記番号認識結果を取得できるものである。【０２４０】
更に、この場合、記番号登録条件処理部３８Ｂは、記番号認識部３８Ａにて取得した記番号認識結果が所定登録条件を満たしたか否かを判定する際、特定桁判定部６１及び許容エラー文字数判定部６２にて照合必要特定桁及び許容エラー文字数の登録条件を満たしたか否かを判定し、許容エラー文字数判定部６２にて記番号認識結果内のエラー文字数が許容エラー文字数以内の場合、合致比率判定部６３の判定動作を行うことなく、その記番号認識結果が偽造紙幣リスト内の記番号に該当するか否かを判定するものである。【０２４１】
このように紙幣管理装置３では、紙幣の記番号が１個だとしても、記番号の文字認識結果を取得し、取得した文字認識結果に基づき記番号認識結果を取得し、この記番号認識結果が所定登録条件を満たした場合、その記番号認識結果に基づく紙幣詳細情報をデータベース３３に登録すると共に、記番号認識結果が所定登録条件を満たさなかった場合、その記番号認識結果のデータベース３３への登録を禁止し、記番号の入力操作を要求することになる。【０２４２】
また、本実施の形態では、紙幣内に同一内容の記番号が複数ある場合、記番号の文字認識結果同士を桁単位で照合し、文字確定部４５にて文字認識結果内の全桁の文字を確定して記番号認識結果を取得するようにしたが、例えば、記番号Ａの文字認識結果内の認識不可の文字数及び記番号Ｂの文字認識結果内の認識不可の文字数の内、認識不可の文字数が最小の文字認識結果側の全桁の文字を確定し、記番号認識結果を取得するようにしても良く、この場合、記番号認識結果内の各桁の文字を確定する処理負担を大幅に軽減することができる。【０２４３】
また、本実施の形態では、記番号認識結果内のエラー文字数に基づき、第２登録条件を満たしているか否かを判定するようにしたが、例えば、記番号認識結果内の確定文字数に基づき、第２登録条件を満たしているか否かを判定するようにしても良く、記番号認識結果内の確定文字数が照合必要確定文字数以上の場合、第２登録条件を満たすようにしても良い。この場合、許容エラー文字数指定部３２Ｂではなく、照合必要確定文字数を指定する確定文字数指定部を備えることで、同様の効果が得られることは言うまでもない。【０２４４】
また、本実施の形態では、記番号認識結果をデータベース３３に登録する際、照合必要特定桁の第１登録条件、エラー文字数の第２登録条件、合致比率の第３登録条件、偽造紙幣の第４登録条件を夫々満たした場合、その記番号認識結果を含む紙幣詳細情報をデータベース３３に登録するようにしたが、例えば、照合必要特定桁の第１登録条件、エラー文字数の第２登録条件、合致比率の第３登録条件又は偽造紙幣の第４登録条件の内の何れか一の条件又は複数の条件を満たした場合に、その記番号認識結果を含む紙幣詳細情報をデータベース３３に登録するようにしても良いことは言うまでもない。【０２４５】
また、上記実施の形態では、紙幣管理装置３側に記番号認識部３８Ａを設けるようにしたが、例えば、紙幣処理装置２側に記番号認識部３８Ａを設けるようにしても良く、この場合、紙幣管理装置３側の負担を大幅に軽減することができる。【０２４６】
また、上記実施の形態では、紙幣詳細情報全部をデータベース３３に登録するようにしたが、紙幣詳細情報の内、紙幣の記番号(記番号認識結果又は入力記番号)のみを登録するようにしても良い。【０２４７】
また、上記実施の形態では、紙幣の記番号を含む紙幣詳細情報をデータベース３３に登録する紙幣管理システム１を例に挙げて説明したが、紙幣ではなく、商品券や小切手等の紙葉類を、その紙葉類上に記載した、同紙葉類を識別する識別情報で管理するシステムに適用可能であることは言うまでもない。【０２４８】
以上、本実施の形態について説明したが、本実施の形態によって本発明の技術的思想の範囲が限定されるものではなく、請求の範囲に記載した技術的思想の範囲を逸脱しない限り、各種様々な実施の形態が実施可能であることは言うまでもない。また、本実施形態に記載した効果は、これに限定されるものではない。【０２４９】
また、本実施形態で説明した各種処理の内、自動的に行われるものとして説明した処理の全部又は一部を手動で行うことも可能であることは勿論のこと、その逆に、手動で行われるものとして説明した処理の全部又は一部を自動で行うことも可能であることは言うまでもない。また、本実施形態で説明した処理手順、制御手順、具体的名称、各種データやパラメータを含む情報についても、特記した場合を除き、適宜変更可能であることは言うまでもない。【０２５０】
また、図示した各装置の各構成要素は機能概念的に記載したものであって、必ずしも物理的に図示のように構成されるものではなく、その各装置の具体的な態様は図示のものに限縮されるものでは到底ないことは言うまでもない。【０２５１】
さらに、各装置で行われる各種処理機能は、ＣＰＵ（Central  Processing  Unit）（又はＭＰＵ（Micro  Processing  Unit）、ＭＣＵ（Micro  Controller  Unit）等のマイクロ・コンピュータ）上、又は同ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしても良いことは言うまでもない。
【図１】
0005512527.tif 000002
【図２】
0005512527.tif 000003
【図３】
0005512527.tif 000004
【図４】
0005512527.tif 000005
【図５】
0005512527.tif 000006
【図６】
0005512527.tif 000007
【図７】
0005512527.tif 000008
【図８】
0005512527.tif 000009
【図９】
0005512527.tif 000010
【図１０】
0005512527.tif 000011
【図１１】
0005512527.tif 000012
【図１２】
0005512527.tif 000013
【図１３】
0005512527.tif 000014
【図１４】
0005512527.tif 000015